(57)【要約】【課題】小型化およびコンパクト化が図られた衛生洗浄装置を提供することである。【解決手段】支持部材２０５は底面部２０２、斜面部２０３および背面部２０４から構成される。支持部材２０５の斜面部２０３は底面部２０２に対して４５度の角度傾斜して設けられており、背面部２０４は底面部２０２に対して垂直に設けられている。ノズル部３０は斜面部２０３に沿って取付けられる。ポンプ１３のモータ１３０は背面部２０４の後部の係止部２１０，２１１により固定され、ポンプ１３のポンプケーシング６１０が支持部材２０５の側部に設けられる。切替弁１４はポンプ１３と同じ支持部材２０５の側部側に設けられ、切替弁１４の外筒１４３と係止部２１３とがねじ締結され固定される。ノズル部３０、ポンプ１３および切替弁１４が支持部材２０５により噴出ユニット１９０として一体化されている。【選択図】　　　　図５
2004100255.tif 000002
【特許請求の範囲】
【請求項１】
給水源から供給される洗浄水を人体に噴出する衛生洗浄装置であって、
複数の流路を有し、洗浄水を人体に噴出するノズル装置と、
前記給水源からの洗浄水を加圧するポンプと、
前記ポンプから供給される洗浄水を前記ノズル装置の前記複数の流路に選択的に供給する流路切替弁とを備え、
前記ノズル装置、前記ポンプおよび前記流路切替弁は、支持部材によりユニットとして一体化されたことを特徴とする衛生洗浄装置。
【請求項２】
前記支持部材は、底面部と、前記底面部に対して所定角度傾斜して設けられた斜面部と、前記底面部に対してほぼ垂直に設けられた背面部とを有し、
前記ノズル装置は、前記支持部材の前記斜面部に沿って取り付けられたことを特徴とする請求項１記載の衛生洗浄装置。
【請求項３】
前記支持部材の前記斜面部と前記底面部とがなす角度は４０度から５０度の範囲内であることを特徴とする請求項２記載の衛生洗浄装置。
【請求項４】
前記支持部材の前記斜面部と前記底面部とがなす角度は４５度であることを特徴とする請求項３記載の衛生洗浄装置。
【請求項５】
前記支持部材の前記底面部、前記斜面部および前記背面部により囲まれる内部空間に、前記ノズル装置を前記斜面部に沿った方向に移動させるための位置調整用モータが設けられたことを特徴とする請求項２〜４のいずれかに記載の衛生洗浄装置。
【請求項６】
前記流路切替弁は、前記支持部材の側部に設けられたことを特徴とする請求項２〜５のいずれかに記載の衛生洗浄装置。
【請求項７】
前記流路切替弁は、
前記複数の流路に連通する複数の洗浄水出口を有する第１の部材と、
前記第１の部材に相対的に回動可能に設けられ、洗浄水を受け入れる洗浄水入口ならびに前記複数の洗浄水出口のいずれかに対向可能な孔部を有する第２の部材と、
前記第２の部材を前記第１の部材に相対的に回動させる切替用モータとを含むことを特徴とする請求項２〜６記載の衛生洗浄装置。
【請求項８】
前記ノズル装置は、前記斜面部上に傾斜して延びる第１のノズル本体を含み、前記第１のノズル本体の下端部の上面に洗浄水を噴出する第１の噴出孔が設けられたことを特徴とする請求項２〜７のいずれかに記載の衛生洗浄装置。
【請求項９】
前記第１のノズル本体は、前記複数の流路のうち第１および第２の流路を内蔵し、前記第１の噴出孔は前記第１および第２の流路に連通することを特徴とする請求項８記載の衛生洗浄装置。
【請求項１０】
前記第１のノズル本体は、前記第１の流路の洗浄水に回転力を作用させる回転力付与手段をさらに含むことを特徴とする請求項９記載の衛生洗浄装置。
【請求項１１】
前記第１のノズル本体は、
洗浄水を収容する第１のシリンダ部と、
前記第１の噴出孔を有しかつ前記第１のシリンダ部内に移動可能に挿入された第１のピストン部とを含み、
供給される洗浄水の圧力により前記第１のピストン部が前記第１のシリンダ部から前記斜面部に沿って斜め下方に突出することを特徴とする請求項８〜１０のいずれかに記載の衛生洗浄装置。
【請求項１２】
前記ノズル装置は、前記斜面部上に前記第１のノズル本体に並列に設けられる第２のノズル本体をさらに含み、前記第２のノズル本体の下端部の上面に洗浄水を噴出する第２の噴出孔が設けられたことを特徴とする請求項８〜１１のいずれかに記載の衛生洗浄装置。
【請求項１３】
前記第２のノズル本体は、前記複数の流路のうち第３の流路を内蔵し、前記第３の流路は前記第２の噴出孔に連通することを特徴とする請求項１２記載の衛生洗浄装置。
【請求項１４】
前記第２のノズル本体は、
洗浄水を収容する第２のシリンダ部と、
前記第２の噴出孔を有しかつ前記第２のシリンダ部内に移動可能に挿入された第２のピストン部とを含み、
供給される洗浄水の圧力により前記第２のピストン部が前記第２のシリンダ部から前記斜面部に沿って斜め下方に突出することを特徴とする請求項１２または１３記載の衛生洗浄装置。
【請求項１５】
前記第１のノズル本体の外周面に軸方向に延びる溝部が形成されたことを特徴とする請求項８〜１４のいずれかに記載の衛生洗浄装置。
【請求項１６】
前記ノズル装置は、前記第１および第２のノズル本体上に設けられる第３のノズル本体をさらに含み、前記第３のノズル本体の下面側に前記第１および第２のノズル本体に洗浄水を噴出する第３の噴出孔が設けられたことを特徴とする請求項１２〜１５のいずれかに記載の衛生洗浄装置。
【請求項１７】
前記第３のノズル本体は、前記複数の流路のうち第４の流路を内蔵し、前記第４の流路は前記第３の噴出孔に連通することを特徴とする請求項１６記載の衛生洗浄装置。
【請求項１８】
前記ポンプは、前記ノズル装置の下方に設けられたことを特徴とする請求項２〜１７のいずれかに記載の衛生洗浄装置。
【請求項１９】
前記ポンプは、往復運動を行う加圧部材を収容するポンプケーシングと、前記加圧部材を駆動するための駆動用モータとを含み、
前記駆動用モータは、前記支持部材の前記背面部の後部に設けられ、前記ポンプケーシングは、前記支持部材の側部に設けられたことを特徴とする請求項１８記載の衛生洗浄装置。
【請求項２０】
前記ポンプは、弾性体を介して前記支持部材に取り付けられたことを特徴とする請求項１〜１９のいずれかに記載の衛生洗浄装置。
【請求項２１】
前記ポンプは、洗浄水を受け入れる給水口および洗浄水を吐出する吐出口を有し、前記給水口および前記吐出口は上方を向くように設けられたことを特徴とする請求項１〜２０のいずれかに記載の衛生洗浄装置。
【請求項２２】
便座部と、
前記便座部の後部に設けられた本体支持部と、
前記本体支持部上に取り付けられる本体ケーシングとをさらに備え、
前記支持部材は、前記本体ケーシング内で前記本体支持部に２点で固定されたことを特徴とする請求項１〜２１のいずれかに記載の衛生洗浄装置。
【発明の詳細な説明】
【０００１】
【発明の属する技術分野】
本発明は、人体の局部を洗浄する衛生洗浄装置に関する。
【０００２】
【従来の技術】
人体の局部を洗浄する衛生洗浄装置においては、洗浄水をポンプにより加圧し、ノズルから人体に噴出している。また、複数のノズルを備えた衛生洗浄装置では、ポンプにより加圧された洗浄水を複数のノズルのいずれかに切り替えて供給するために切替弁が設けられる（例えば、特許文献１参照。）。
【０００３】
【特許文献１】
特開２００１−９０１５４号公報
【０００４】
【発明が解決しようとする課題】
このように、衛生洗浄装置には、ポンプ、ノズル、切替弁等の複数の構成要素を設ける必要があるので、小型化およびコンパクト化が妨げられる。通常、衛生洗浄装置は、トイレ内に既に設置されている便器に追加して装着される。トイレ内のスペースに制限があるため、衛生洗浄装置の小型化およびコンパクト化が求められている。
【０００５】
本発明の目的は、小型化およびコンパクト化が図られた衛生洗浄装置を提供することである。
【０００６】
【課題を解決するための手段】
本発明に係る衛生洗浄装置は、給水源から供給される洗浄水を人体に噴出する衛生洗浄装置であって、複数の流路を有し、洗浄水を人体に噴出するノズル装置と、給水源からの洗浄水を加圧するポンプと、ポンプから供給される洗浄水をノズル装置の複数の流路に選択的に供給する流路切替弁とを備え、ノズル装置、ポンプおよび流路切替弁は、支持部材によりユニットとして一体化されたものである。
【０００７】
本発明に係る衛生洗浄装置においては、給水源からの洗浄水がポンプにより加圧され、加圧された洗浄水が流路切替弁によりノズル装置の複数の流路に選択的に供給され、ノズル装置により洗浄水が人体に噴出される。特に、ノズル装置、ポンプおよび流路切替弁が支持部材によりユニットとして一体化されているので、衛生洗浄装置の小型化およびコンパクト化が図られる。また、ノズル装置、ポンプおよび流路切替弁をユニットとして一体的に取り扱うことができるので、衛生洗浄装置の組み立て性の向上が図られるとともに検査工程が容易になる。
【０００８】
支持部材は、底面部と、底面部に対して所定角度傾斜して設けられた斜面部と、底面部に対してほぼ垂直に設けられた背面部とを有し、ノズル装置は、支持部材の斜面部に沿って取り付けられてもよい。
【０００９】
この場合、支持部材の底面部、斜面部および背面部により略直角三角形が形成され、ノズル装置が支持部材の斜面部に沿って下方に傾斜するように取り付けられる。それにより、ノズル装置、ポンプおよび流路切替弁からなるユニットをより小型化およびコンパクト化することができる。また、支持部材の内部に空間が形成されるので、その空間に種々の構成要素を収納することができる。
【００１０】
支持部材の斜面部と底面部とがなす角度は４０度から５０度の範囲内であってもよい。
【００１１】
この場合、支持部材の底面部、斜面部および背面部により略直角二等辺三角形が形成される。それにより、ノズル装置、ポンプおよび流路切替弁からなるユニットを前後方向および垂直方向により小型化およびコンパクト化することができる。また、支持部材の内部に大きな空間が形成されるので、小型化およびコンパクト化を妨げることなく、種々の構成要素を内部の空間に設けることができる。
【００１２】
また、ノズル装置が水平方向に対して４０度から５０度の範囲内で斜め下方に傾斜するので、人体の被洗浄部に噴出された洗浄水の跳ね返りがノズル装置にかかることが防止される。したがって、ノズル装置を清潔に保つことができる。さらに、ノズル装置の表面に付着した水分が自重で流れ落ちやすくなるとともに、ノズル装置内の残水が自重で排出されやすくなる。したがって、冬季にノズル装置の表面に付着した水分またはノズル装置内の残水が凍結することが防止される。
【００１３】
支持部材の斜面部と底面部とがなす角度は４５度であってもよい。この場合、支持部材の底面部、斜面部および背面部が直角三角形を形成する。それにより、ノズル装置、ポンプおよび流路切替弁からなるユニットを前後方向および垂直方向に最も小型化およびコンパクト化することが可能になる。また、支持部材の内部により大きな空間が形成されるので、小型化およびコンパクトを妨げることなく、種々の構成要素を内部の空間に設けることができる。
【００１４】
支持部材の底面部、斜面部および背面部により囲まれる内部空間に、ノズル装置を斜面部に沿った方向に移動させるための位置調整用モータが設けられてもよい。
【００１５】
この場合、ノズル装置、ポンプおよび流路切替弁からなるユニットを大型化することなくユニット内に位置調整用モータを設けることができる。それにより、ノズル装置の前後方向における位置調整を行うことができる。また、ノズル装置を前後移動させながら洗浄水を噴出させることができる。したがって、衛生洗浄装置の小型化およびコンパクト化を図りつつノズル装置の多機能化を図ることができる。
【００１６】
流路切替弁は、支持部材の側部に設けられてもよい。この場合、ノズル装置、ポンプおよび流路切替弁からなるユニットの前後方向および垂直方向における小型化およびコンパクト化が妨げられない。
【００１７】
流路切替弁は、複数の流路に連通する複数の洗浄水出口を有する第１の部材と、第１の部材に相対的に回動可能に設けられ、洗浄水を受け入れる洗浄水入口ならびに複数の洗浄水出口のいずれかに対向可能な孔部を有する第２の部材と、第２の部材を第１の部材に相対的に回動させる切替用モータとを含んでもよい。
【００１８】
この場合、第２の部材を第１の部材に相対的に回動させることにより、第２の部材の孔部が第１の部材の第１および第２の洗浄水出口のいずれかに対向する。第２の部材の孔部が第１の部材の第１の洗浄水出口に対向した場合には、第２の部材の洗浄水入口に供給された洗浄水が第２の部材の孔部を通って第１の部材の第１の洗浄水出口から第１の経路に供給される。また、第２の部材の孔部が第１の部材の第２の洗浄水出口に対向した場合には、第２の部材の洗浄水入口に供給された洗浄水が第２の部材の孔部を通って第１の部材の第２の洗浄水出口から第２の経路に供給される。
【００１９】
このように、第１の部材に対する第２の部材の回動により流路を切り替えることができるので、流路切替弁の小型化およびコンパクト化が図られる。それにより、ノズル装置、ポンプおよび流路切替弁からなるユニットの小型化およびコンパクト化が図られる。
【００２０】
ノズル装置は、斜面部上に傾斜して延びる第１のノズル本体を含み、第１のノズル本体の下端部の上面に洗浄水を噴出する第１の噴出孔が設けられてもよい。
【００２１】
この場合、斜面部上に傾斜して延びる第１のノズル本体の下端部の第１の噴出孔から洗浄水が斜め上方に噴出される。それにより、第１のノズル本体から噴出された洗浄水が斜め下方から人体の被洗浄部に当たるので、洗浄水の跳ね返りがノズル装置にかかることが防止される。したがって、ノズル装置を清潔に保つことができる。
【００２２】
第１のノズル本体は、複数の流路のうち第１および第２の流路を内蔵し、第１の噴出孔は第１および第２の流路に連通してもよい。
【００２３】
この場合、第１のノズル本体の第１の流路に流れる洗浄水と第２の流路に流れる洗浄水とが第１の噴出孔において合流して噴出される。したがって、第１の流路に流れる洗浄水の流量および第２の流路に流れる洗浄水の流量の比率を制御することにより、第１の噴出孔から噴出される洗浄水の噴出形態を変化させることが可能となる。したがって、ノズル装置を大型化することなく、使用者の嗜好または体調に応じて種々の洗浄感および洗浄力を得ることができる。
【００２４】
第１のノズル本体は、第１の流路の洗浄水に回転力を作用させる回転力付与手段をさらに含んでもよい。
【００２５】
この場合、第１の流路の洗浄水に回転力が作用することにより第１の流路に供給された洗浄水が旋回流となり、第２の流路に供給された洗浄水が直線流となり、旋回流と直線流とが第１の噴出孔において合流して噴出される。第１の流路に流れる洗浄水の流量および第２の流路に流れる洗浄水の流量の比率を制御することにより、第１の噴出孔から噴出される洗浄水の広がり角度を変化させることができ、洗浄面積および洗浄感を変化させることが可能となる。したがって、ノズル装置を大型化することなく、使用者の嗜好または体調に応じて種々の洗浄感および洗浄力を得ることができる。
【００２６】
第１のノズル本体は、洗浄水を収容する第１のシリンダ部と、第１の噴出孔を有しかつ第１のシリンダ部内に移動可能に挿入された第１のピストン部とを含み、供給される洗浄水の圧力により第１のピストン部が第１のシリンダ部から斜面部に沿って斜め下方に突出してもよい。
【００２７】
この場合、第１のノズル本体に供給される洗浄水が第１のシリンダ部内に収容され、洗浄水の圧力により第１のピストン部が所定の洗浄位置まで第１のシリンダ部から突出する。それにより、衛生洗浄装置を大型化することなく非洗浄時に汚物が第１のノズル本体に付着することが防止される。また、洗浄水の圧力により第１のシリンダ部内から第１のピストン部が突出するため、モータ等の他の駆動装置を必要とせず、構造が簡素化する。したがって、衛生洗浄装置の小型化および低コスト化を実現することができる。特に、第１のピストン部が斜面部に沿って斜め下方に突出する際に洗浄水の圧力に第１のピストン部の自重が加わるので、第１のピストン部の突出時間が短縮される。
【００２８】
ノズル装置は、斜面部上に第１のノズル本体に並列に設けられる第２のノズル本体をさらに含み、第２のノズル本体の下端部の上面に洗浄水を噴出する第２の噴出孔が設けられてもよい。
【００２９】
この場合、支持部材の斜面上に第１のノズル本体および第２のノズル本体が並列に設けられるので、ノズル装置が第１および第２のノズル本体を有する場合でも、ノズル装置、ポンプおよび流路切替弁からなるユニットの小型化およびコンパクト化が妨げられない。また、斜面部上に傾斜して延びる第２のノズル本体の下端部の第２の噴出孔から洗浄水が斜め上方に噴出される。それにより、第２のノズル本体から噴出された洗浄水が斜め下方から人体の被洗浄部に当たるので、洗浄水の跳ね返りがノズル装置にかかることが防止される。したがって、ノズル装置を清潔に保つことができる。
【００３０】
第２のノズル本体は、複数の流路のうち第３の流路を内蔵し、第３の流路は第２の噴出孔に連通してもよい。
【００３１】
この場合、第２のノズル本体の第３の流路に供給された洗浄水が第２のノズル本体の下端部の上面に設けられた第２の噴出孔から噴出される。
【００３２】
第２のノズル本体は、洗浄水を収容する第２のシリンダ部と、第２の噴出孔を有しかつ第２のシリンダ部内に移動可能に挿入された第２のピストン部とを含み、供給される洗浄水の圧力により第２のピストン部が第２のシリンダ部から斜面部に沿って斜め下方に突出してもよい。
【００３３】
この場合、第２のノズル本体に供給される洗浄水が第２のシリンダ部内に収容され、洗浄水の圧力により第２のピストン部が所定の洗浄位置まで第２のシリンダ部から突出する。それにより、衛生洗浄装置を大型化することなく非洗浄時に汚物が第２のノズル本体に付着することが防止される。また、洗浄水の圧力により第２のシリンダ部内から第２のピストン部が突出するため、モータ等の他の駆動装置を必要とせず、構造が簡素化する。したがって、衛生洗浄装置の小型化および低コスト化を実現することができる。特に、第２のピストン部が斜面部に沿って斜め下方に突出する際に洗浄水の圧力に第２のピストン部の自重が加わるので、第２のピストン部の突出時間が短縮される。
【００３４】
第１のノズル本体の外周面に軸方向に延びる溝部が形成されてもよい。この場合、第１のノズル本体の外周面に付着した洗浄水が溝部に沿って流れ落ちる。それにより、洗浄水が第１のノズル本体の外周面に長時間にわたって滞留することが防止される。
【００３５】
ノズル装置は、第１および第２のノズル本体上に設けられる第３のノズル本体をさらに含み、第３のノズル本体の下面側に第１および第２のノズル本体に洗浄水を噴出する第３の噴出孔が設けられてもよい。
【００３６】
この場合、第３のノズル本体の下面側の第３の噴出孔から第１および第２のノズル本体に洗浄水が噴出される。それにより、ノズル装置を大型化することなく、第１および第２のノズル本体を洗浄することが可能となる。
【００３７】
第３のノズル本体は、複数の流路のうち第４の流路を内蔵し、第４の流路は第３の噴出孔に連通してもよい。
【００３８】
この場合、第３のノズル本体の第４の流路に供給された洗浄水が第３のノズル本体の第３の噴出孔から噴出される。
【００３９】
ポンプは、ノズル装置の下方に設けられてもよい。この場合、ノズル装置の下方に形成される空間にポンプが設けられるので、ノズル装置、ポンプおよび流路切替弁からなるユニットを小型化およびコンパクト化することが可能となる。
【００４０】
ポンプは、往復運動を行う加圧部材を収容するポンプケーシングと、加圧部材を駆動するための駆動用モータとを含み、駆動用モータは、支持部材の背面部の後部に設けられ、ポンプケーシングは、支持部材の側部に設けられてもよい。
【００４１】
この場合、ポンプの駆動用モータが支持部材の背面部の後部に設けられ、ポンプケーシングが支持部材の側部に設けられるので、ノズル装置、ポンプおよび流路切替弁からなるユニットの垂直方向における小型化およびコンパクト化が妨げられない。
【００４２】
ポンプは、弾性体を介して支持部材に取り付けられてもよい。この場合、ポンプの振動が支持部材、ノズル装置および流路切替弁に伝わることが防止される。そのため、簡単な構成で衛生洗浄装置の振動および騒音を低減することが可能となる。
【００４３】
ポンプは、洗浄水を受け入れる給水口および洗浄水を吐出する吐出口を有し、給水口および吐出口は上方を向くように設けられてもよい。
【００４４】
ポンプの内部に気泡が発生した場合でも、その気泡が給水口または吐出口から容易に抜け出すことができ、ポンプの内部に気泡が滞留しない。それにより、気泡によるポンプの圧力の緩衝が防止され、洗浄力および洗浄感が低下しない。また、ポンプの給水口および吐出口にホースを脱着する作業が容易になる。
【００４５】
便座部と、便座部の後部に設けられた本体支持部と、本体支持部上に取り付けられる本体ケーシングとをさらに備え、支持部材は、本体ケーシング内で本体支持部に２点で固定されてもよい。
【００４６】
この場合、ノズル装置、ポンプおよび流路切替弁からなるユニットが本体ケーシング内で本体支持部に２点で固定されるので、ユニットを本体ケーシング内の本体支持部に取り付ける際の工数が削減され、低コスト化が図られる。
【００４７】
【発明の実施の形態】
以下、本発明の実施の形態に係る衛生洗浄装置について説明する。
【００４８】
図１は本実施の形態に係る衛生洗浄装置を便器に装着した状態を示す斜視図である。
【００４９】
図１に示すように、便器６００上に衛生洗浄装置１００が装着される。タンク７００は、水道配管に接続されており、便器６００内に洗浄水を供給する。
【００５０】
衛生洗浄装置１００は、本体部２００、遠隔操作装置３００、便座部４００および蓋部５００により構成される。
【００５１】
本体部２００には、便座部４００および蓋部５００が開閉自在に取り付けられる。さらに、本体部２００のケーシング２０２内には、ノズル部３０を含む洗浄水供給機構が設けられるとともに、制御部が内蔵されている。本体部２００の制御部は、後述するように遠隔操作装置３００により送信される信号に基づいて、洗浄水供給機構を制御する。さらに、本体部２００の制御部は、便座部４００に内蔵されたヒータ、本体部２００に設けられた脱臭装置（図示せず）および温風供給装置（図示せず）等の制御も行う。
【００５２】
図２は図１の遠隔操作装置３００の一例を示す模式図である。
図２に示すように、遠隔操作装置３００は、複数のＬＥＤ（発光ダイオード）３０１ａ，３０１ｂ，３０１ｃ、複数の調整スイッチ３０２、おしりスイッチ３０３、マッサージスイッチ３０４、停止スイッチ３０５、ビデスイッチ３０６、乾燥スイッチ３０７および脱臭スイッチ３０８を備える。
【００５３】
使用者により調整スイッチ３０２、おしりスイッチ３０３、マッサージスイッチ３０４、停止スイッチ３０５、ビデスイッチ３０６、乾燥スイッチ３０７および脱臭スイッチ３０８が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００５４】
例えば、使用者が、おしりスイッチ３０３またはビデスイッチ３０６を押下操作することにより図１の本体部２００のノズル部３０が移動して洗浄水が噴出する。マッサージスイッチ３０４を押下操作することにより図１の本体部２００のノズル部３０から人体の局部に刺激を与える洗浄水が噴出される。パワースイッチ３０９を押下操作することによりノズル部３０から多量の洗浄水が噴出される。停止スイッチ３０５を押下操作することによりノズル部３０からの洗浄水の噴出が停止する。
【００５５】
また、乾燥スイッチ３０７を押下操作することにより人体の局部に対して衛生洗浄装置１００の温風供給装置（図示せず）より温風が噴出される。脱臭スイッチ３０８を押下操作することにより衛生洗浄装置１００の脱臭装置（図示せず）により周辺の脱臭が行われる。
【００５６】
調整スイッチ３０２は、水勢調整スイッチ３０２ａ，３０２ｂ、温度調整スイッチ３０２ｃ，３０２ｄおよびノズル位置調整スイッチ３０２ｅ，３０２ｆを含む。
【００５７】
使用者が、噴出形態調整スイッチ３０２ｅ，３０２ｆを押下操作することにより図１の衛生洗浄装置１００の本体部２００のノズル部３０より噴出される洗浄水の噴出形態が変化し、温度調整スイッチ３０２ｃ，３０２ｄを押下操作することによりノズル部３０より噴出される洗浄水の温度が変化する。また、水勢調整スイッチ３０２ａ，３０２ｂを押下操作することにより、ノズル部３０より噴出される洗浄水の水勢（圧力）が変化する。水勢調整スイッチ３０２ａ，３０２ｂの押下にともなって複数のＬＥＤ（発光ダイオード）３０１ａが点灯し、温度調整スイッチ３０２ｃ，３０２ｄの押下にともなって複数のＬＥＤ（発光ダイオード）３０１ｃが点灯し、噴出形態調整スイッチ３０２ｅ，３０２ｆの押下にともなって複数のＬＥＤ（発光ダイオード）３０１ｂが点灯する。
【００５８】
以下、本実施の形態に係る衛生洗浄装置１００の本体部２００について説明を行う。図３は本実施の形態に係る衛生洗浄装置１００の本体部２００の構成を示す模式図である。
【００５９】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、ポンプ１３、切替弁１４およびノズル部３０を含む。また、ノズル部３０は、おしりノズル１、ビデノズル２およびノズル洗浄用ノズル３を含む。
【００６０】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００６１】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００６２】
また、止水電磁弁９と流量センサ１０との間には、逃がし水配管２０５が接続されている。定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００６３】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００６４】
続いて、熱交換器１１は、制御部４により与えられる制御信号に基づいて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００６５】
ポンプ１３、切替弁１４およびノズル部３０は、後述する支持部材により一体的な噴出ユニット１９０として形成されている。この噴出ユニット１９０の詳細については後述する。
【００６６】
ポンプ１３は、熱交換器１１により加熱された洗浄水を制御部４により与えられる制御信号に基づいて、切替弁１４に圧送する。切替弁１４は、制御部４により与えられる制御信号に基づいて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。また、切替弁１４は、制御部４により与えられる制御信号に基づいて、ノズル部３０より噴出される洗浄水の流量を調整する。それにより、ノズル部３０より噴出される洗浄水の流量が変化する。
【００６７】
制御部４は、図１の遠隔操作装置３００から無線送信される信号、流量センサ１０から与えられる測定流量値および温度センサ１２ａ，１２ｂから与えられる温度測定値に基づき止水電磁弁９、熱交換器１１、ポンプ１３および切替弁１４に対して制御信号を与える。
【００６８】
図４は噴出ユニット１９０を説明するための斜視図であり、図５は噴出ユニット１９０の組み立て図である。
【００６９】
図４に示すように、噴出ユニット１９０は、ポンプ１３、切替弁１４、ノズル部３０および支持部材２０５から構成される。
【００７０】
支持部材２０５は、底面部２０２、斜面部２０３および背面部２０４から構成される。また、支持部材２０５の斜面部２０３は、底面部２０２に対して４５度の角度傾斜して設けられており、背面部２０４は、底面部２０２に対して垂直に設けられている。また、斜面部２０３の一側部には、係止部２１２，２１３が形成されており、背面部２０４の後部には略半円筒状の係止部２１０，２１１が形成されている。支持部材２０５は、可撓性を有するプラスチックにより一体形成される。
【００７１】
図４に示すように、ノズル部３０のおしりノズル１およびビデノズル２は、並列に設けられ、その上面にノズル洗浄ノズル３が設けられている。ノズル部３０は、支持部材２０５の斜面部２０３に沿って取り付けられている。この斜面部２０３およびノズル部３０の詳細については後述する。
【００７２】
図５に示すように、支持部材２０５の斜面部２０３の両側辺には、垂直上方向に延びる壁２２２が形成され、その壁２２２に斜面部２０３と平行に延びる凹溝部２２１が形成されている。一方、ノズル部２０のおしりノズル１およびビデノズル２の外周面には、突起部２２０が形成されている。支持部材２０５の壁２２２に形成された凹溝部２２１に突起部２２０が嵌合する。それにより、ノズル部３０が支持部材２０５の斜面部２０３と平行に摺動可能に保持される。
【００７３】
また、ポンプ１３は、モータ１３０およびポンプケーシング６１０により構成される。なお、ポンプ１３の構成の詳細については後述する。ポンプ１３のモータ１３０の外周面に緩衝部材であるスポンジ１３０ａが両面粘着テープにより貼着される。スポンジ１３０ａが貼着されたポンプ１３のモータ１３０は、背面部２０４の後部の係止部２１０，２１１により形成された略円筒状の空間に嵌挿される。スポンジ１３０ａの働きにより、モータ１３０の振動および騒音が低減される。また、ポンプ１３のポンプケーシング６１０が支持部材２０５の側部に設けられる。後述するポンプ１３の吐出ポート５５ａおよび吸引ポート５５ｂは、上方に向けて配設される。これにより、ポンプ１３の内部に気泡が発生しても吐出ポート５５ａおよび吸引ポート５５ｂから容易に抜け出すことができポンプ１３の内部に気泡が滞留しない。また、熱交換器１１からの配管（図示せず）および切替弁１４への配管の接続が行い易い。
【００７４】
さらに、切替弁１４は、係止部２１２に保持されるとともに、切替弁１４の外筒１４３と係止部２１３とがねじ締結される。このように、切替弁１４は支持部材２０５のポンプ１３と同じ側部側に設けられるため、小型化およびコンパクト化を図ることができる。
【００７５】
さらに、図６は噴出ユニット１９０に進退動作用モータをさらに組み込んだ状態を示す側面図である。
【００７６】
図６に示すように、進退動作用モータ２５０は、支持部材２０５の底面部２０２、斜面部２０３および背面部２０４に囲まれた三角形状の空間内に配設される。また、進退動作用モータ２５０の軸には、ピニオンギア２５１が取り付けられている。おしりノズル１のシリンダ部２１の外周の下面にラックギア２５２が形成されている。ピニオンギア２５１は、ラックギア２５２に噛合う。
【００７７】
図６に示すように、進退動作用モータ２５０の軸が回転することによりピニオンギア２５１が矢印Ｚの方向に回転する。それにより、ラックギア２５２が矢印Ｘの方向に移動する。その結果、ノズル部３０が支持部材２０５の斜面部２０３に沿った斜め下方向に移動する。
【００７８】
一方、進退動作用モータ２５０の軸が逆回転し、ピニオンギア２５１が矢印Ｚと逆方向に回転した場合、ラックギア２５２が矢印Ｘの方向と逆方向に移動する。その結果、ノズル部３０は支持部材２０５の斜面部２０３に沿って斜め上方向に移動する。
【００７９】
このように、おしりノズル１およびビデノズル２を移動させながら洗浄水を噴出させることができる。したがって、衛生洗浄装置の小型化およびコンパクト化を維持しつつ、多機能化を図ることができる。
【００８０】
次に、図７は噴出ユニット１９０を本体部２００の支持部材２０１に取り付ける状態を示す斜視図である。
【００８１】
図７に示すように、噴出ユニット１９０は、本体部２００の支持部材２０１に取り付けられる。この場合、背面部２０４の後部に設けられた係止部２１０の固定部２０１ａが本体部２００の支持部材２０１の保持部２０１ｂにねじ締結される。このとき、可撓性を有する係止部２１０が下方向に曲がり、ポンプ１３が固定される。
【００８２】
また、支持部材２０１には、階段状の支持部２０２ａが設けられている。支持部材２０５の底面部２０２は、支持部材２０１の支持部２０２ａに嵌合するように階段状に形成されている。さらに、支持部材２０５の斜面部２０３の一側部には、固定部２０３ａが設けられており、固定部２０３と支持部材２０１の保持部２０３ｂとがねじ締結される。
【００８３】
このように、噴出ユニット１９０と本体部２００の支持部材２０１とは、固定部２０１ａ，２０３ａおよび保持部２０１ａ，２０３ａの２点でねじ締結されるため、噴出ユニット１９０を本体支持部材２０１内に取り付ける際の工数が削減される。それにより、低コスト化を図ることができる。さらに、上記の２点支持に底面部２０２の階段状の支持を加えることで、３点支持と同等の安定性を得ることができる。
【００８４】
また、支持部材２０５によりノズル部３０、ポンプ１３および切替弁１４を噴出ユニット１９０として一体的に取り扱うことができるので、衛生洗浄装置の組み立て性の向上が図られるとともに検査工程が容易になる。
【００８５】
図８は支持部材２０５を説明するための模式図である。図８（ａ）は支持部材２０５の底面部２０２と斜面部２０３とがなす角度が３５度の場合を示し、図８（ｂ）は底面部２０２と斜面部２０３とがなす角度が４５度の場合を示す。
【００８６】
まず、図８（ａ）および（ｂ）に示す底面部２０２の長さＬは、衛生洗浄装置の本体部２００の大きさにより制限されている。
【００８７】
図８（ａ）に示す支持部材２０５の底面部２０２と斜面部２０３とがなす角度が３５度の場合に比べて図８（ｂ）に示す底面部２０２と斜面部２０３とがなす角度が４５度の場合には、底面部２０２、斜面部２０３および背面部２０４により形成される直角三角形の面積が大きくなる。
【００８８】
それにより、支持部材２０５の内部に最大の空間が形成されるので、小型化およびコンパクト化を妨げることなく、各種の構成要素を内部の空間に設けることができる。
【００８９】
図８（ａ）に示すように、底面部２０２と斜面部２０３とがなす角度が３５度の場合、斜面部２０３の長さがノズル部３０のおしりノズル１の長さに近づくためノズル部３０の後方に空き空間が形成されない。これに対して、図８（ｂ）に示すように、底面部２０２と斜面部２０３とがなす角度が４５度の場合、斜面部２０３の長さがノズル部３０のおしりノズル１の長さよりも大きくなるため、おしりノズル１の後方に空き空間βが形成される。そのため、空き空間βに図５に示すように、ポンプ１３のモータ１３０を配設することができる。
【００９０】
さらに、図８（ａ）に示すように、ノズル３０のおしりノズル１が水平方向に対して３５度で斜め下方に傾斜している場合、人体の被洗浄面ＳＨに対して矢印Ｚ１で示すように、ほぼ垂直に洗浄水が噴出されるので、矢印Ｙ１の方向に洗浄水が跳ね返り、おしりノズル１に再付着する場合がある。
【００９１】
一方、図８（ｂ）に示すように、ノズル３０のおしりノズル１が水平方向に対して４５度で斜め下方に傾斜している場合、人体の被洗浄面ＳＨに対して矢印Ｚ２で示すように垂直よりも小さい角度で洗浄水が噴出されるので、矢印Ｙ２の方向に洗浄水が跳ね返っても、おしりノズル１に再付着する可能性が低くなる。したがって、おしりノズル１を清潔に保つことができる。さらに、おしりノズル１の表面に付着した水分が自重で流れ落ちやすくなるとともに、おしりノズル１内の残水が自重で排出されやすくなる。したがって、冬季におしりノズル１に付着した水分またはおしりノズル１内の残水が凍結することが防止できる。
【００９２】
さらに、おしりノズル１のピストン２０に働く重力の斜面部２０３に沿った方向の成分が大きくなるため、シリンダ部２１内からピストン部２０が突出する時間を短くすることができる。
【００９３】
なお、本実施の形態においては、おしりノズル１が水平方向に対して４５度で斜め下方に傾斜することとしたが、これに限定されず、おしりノズル１が水平方向に対して斜め下方に傾斜する傾き角度は、４０度〜５０度が好ましく、４５度がより好ましい。
【００９４】
次に、本実施の形態に係るポンプ１３について図９〜図１８に基づき説明する。図９は本実施の形態に係るポンプ１３の構成を示す模式的断面図である。図１０は図９に示すポンプ１３のＡ−Ａ線断面図である。図１１は図９に示すポンプ１３のＢ−Ｂ線断面図である。
【００９５】
図９および図１０によれば、ポンプ１３は、外観上モータ１３０およびケース５０ａ，５０ｂ，５０ｃにより構成されている。なお、図１０に示すようにケース５０ａ，５０ｃにより第１の筐体６０Ａが形成され、ケース５０ａ，５０ｂ，５０ｃにより第２の筐体６０Ｂが形成されている。なお、ケース５０ａには吐出ポート５５ａおよび吸引ポート５５ｂが設けられている。さらに、図５のポンプケーシング６１０は、第１の筐体６０Ａおよび第２の筐体６０Ｂからなる。
【００９６】
図９によればモータ１３０の軸１３１は、第１の筐体６０Ａの一側面より第１の筐体６０Ａの内部に挿入され、軸１３１に後述のウォーム１３２が取り付けられている。第１の筐体６０Ａの内部には、ウォーム１３２と連動するウォームホイール１３３が軸１３４により回転可能に取り付けられている。ウォームホイール１３３は偏心輪（クランク軸）１３５を有し、ウォームホイール１３３の偏心輪１３５にはピストンロッド１３６が取り付けられている。ピストンロッド１３６の上端部は、第２の筐体６０Ｂ内部において、ピストン１３７にピン５９を介して取り付けられている。
【００９７】
第１の筐体６０Ａを形成するケース５０ａの底面には、第１の筐体６０Ａ内部に流入する液体を外部に排出するために水抜き孔ａｗが設けられている。
【００９８】
上記に示すポンプ１３の主な構成部位の材質は、以下の通りである。ケース５０ａ，５０ｃの材質は、ＡＢＳ樹脂（ａｃｒｙｌｏｎｉｔｒｉｌｅ　ｂｕｔａｄｉｅｎｅ　ｓｔｙｒｅｎｅ　ｒｅｓｉｎ）であり、ケース５０ｂ、ウォーム１３２、ウォームホイール１３３およびピストン１３７の材質はポリアセタールであり、ウォームホイール１３３に設けられる偏心輪１３５の材質はポリアセタールであり、ピストンロッド１３６材質はポリアミドである。
【００９９】
図９および図１０によれば、第２の筐体６０Ｂ内部には、円柱状空間１３９が形成されている。円柱状空間１３９内には、ピストン１３７が設けられている。ピストン１３７の外周部には、Ｘ字パッキン１３８が装着されている。ピストン１３７により円柱状空間１３９には、ポンプ室１３９ａが形成される。
【０１００】
図９〜図１１によれば、ポンプ室１３９ａには、洗浄水吐出口５１ａおよび洗浄水吸引口５１ｂが設けられている。ポンプ室１３９ａは、洗浄水吐出口５１ａ、ケース５０ｂに設けられた洗浄水導水路５１ｘ、弁シート５２および吐出ポート５５ａ内に形成された洗浄水導水路５４ａを介してポンプ１３の外部と連通可能である。
【０１０１】
さらに、ポンプ室１３９ａは、洗浄水吸引口５１ｂ、ケース５０ｂに設けられた洗浄水導水路５１ｙ、弁シート５２および吸引ポート５５ｂ内に形成された洗浄水導水路５４ｂを介してポンプ１３の外部と連通可能である。ケース５０ａとケース５０ｂとの接続状態については後述する。
【０１０２】
上記に示す吐出ポート５５ａおよび吸引ポート５５ｂには、外部より洗浄水を吸引または吐出するためのチューブが連結される。このため、吐出ポート５５ａおよび吸引ポート５５ｂの先端はニップル形状を有する。これにより、吐出ポート５５ａおよび吸引ポート５５ｂに連結されるチューブが強固に固定される。
【０１０３】
ここで、図１１〜図１３に基づきケース５０ａとケース５０ｂとの接続状態について説明する。図１２は弁シート５２の外観斜視図である。図１３はケース５０ａ，５０ｂおよび弁シート５２の模式的組み立て図である。
【０１０４】
図１１によれば、ケース５０ａとケース５０ｂとは、弁シート５２を介して接続されている。初めに、図１２に基づき弁シート５２について説明する。
【０１０５】
弁シート５２は、可動リップ部５２ａおよび固定シール部５２ｂより形成される。ここで、可動リップ部５２ａは弁シート５２の一部が馬蹄形に打ち抜かれることにより半楕円形状に形成され、弁シート５２の中心に関して左右対称に形成されている。固定シール部５２ｂは、弁シート５２の可動リップ部５２ａを除いた部位を示す。
【０１０６】
弁シート５２の材質は、ＮＢＲ（アクリルニトリルブタジエンゴム：ａｃｒｙｌｏｎｉｔｒｉｌｅ　ｂｕｔａｄｉｅｎｅ　ｒｕｂｂｅｒ）である。また、本実施の形態においては弁シート５２の厚さは０．５ｍｍである。
【０１０７】
上記に示す弁シート５２を介して、ケース５０ａおよびケース５０ｂは次のように接続される。
【０１０８】
図１３に示すように、ケース５０ａのケース５０ｂとの接続面には、溝状に形成された弁シート保持部５３ａ、洗浄水吐出口５６ａおよび洗浄水吸引口５６ｂが設けられている。洗浄水吐出口５６ａおよび洗浄水吸引口５６ｂは、弁シート保持部５３ａの内部に左右対称に設けられている。また、ケース５０ｂのケース５０ａとの接続面には、突起状に形成された弁シート保持部５３ｂ、洗浄水吐出口５６ａおよび洗浄水吸引口５６ｂが設けられている。洗浄水吐出口５６ａおよび洗浄水吸引口５６ｂは、弁シート保持部５３ｂの内部に左右対称に設けられている。
【０１０９】
ケース５０ａにおいて、洗浄水吐出口５６ａの周辺には空間５３ｋが設けられており、洗浄水吸引口５６ｂの周辺には、弁座５３が設けられている。ケース５０ｂにおいては、洗浄水吐出口５６ａの周辺に弁座５３が設けられ、洗浄水吸引口５６ｂの周辺に空間５３ｋが設けられている。
【０１１０】
図１３に示すように、ケース５０ａのケース５０ｂとの接続面の一角を角ｐとし、角ｐの対角に位置する他の角を角ｑとし、ケース５０ｂのケース５０ａとの接続面の一角を角ｒとし、角ｒの対角に位置する他の角をｓとした場合、ケース５０ｂの角ｒはケース５０ａの角ｐに接続され、ケース５０ｂの角ｓはケース５０ａの角ｑに接続される。なお、ケース５０ａおよびケース５０ｂの弁シート保持部５３ａ，５３ｂの間には弁シート５２が挿入される。
【０１１１】
以下の説明において、洗浄水吐出口５１ａおよび洗浄水導水路５１ｘ，５４ａを洗浄水吐出系とし、洗浄水吸引口５１ｂおよび洗浄水導水路５１ｙ，５４ｂを洗浄水吸引系とする。
【０１１２】
図１１によれば、弁シート５２の中央部および両端部に位置する固定シール部５２ｂは、ケース５０ａの弁シート保持部５３ａおよびケース５０ｂの弁シート保持部５３ｂにより形成される間隙Ｌ１に保持されている。
【０１１３】
本実施の形態において、間隙Ｌ１の間隔は０．４ｍｍである。この間隙Ｌ１に、上述の厚さ０．５ｍｍの弁シート５２の固定シール部５２ｂが保持されることにより、洗浄水吐出系と洗浄水吸引系とが確実に分離される。
【０１１４】
弁シート５２を中央部を境に洗浄水吐出系側と洗浄水吸引系側とに分けた場合、弁シート５２の洗浄水吐出系側の可動リップ部５２ａはケース５０ｂに設けられた弁座５３と接触している。一方、弁シート５２の洗浄水吸引系側の可動リップ部５２ａは、ケース５０ａに形成された弁座５３と接触している。
【０１１５】
弁シート５２の可動リップ部５２ａは、ポンプ室１３９ａ内部の圧力状態に応じて、洗浄水吐出系および洗浄水吸引系の各流路の開閉動作を行う。つまり、ポンプ室１３９ａ内部の圧力が高い場合、洗浄水吐出系側の可動リップ部５２ａは矢印ｍの方向に曲折し、ポンプ室１３９ａ内部の圧力が低い場合、洗浄水吸引系側の可動リップ部５２ａは矢印ｎの方向に曲折する。
【０１１６】
図１４は図９のポンプ１３のウォームホイール１３３の構造を示す模式的構造図である。ここで、図１４（ａ）は、ウォームホイール１３３の偏心輪１３５側の一側面を示す模式図であり、図１４（ｂ）は、図１４（ａ）に示すウォームホイール１３３のＣ−Ｃ線断面図である。また、図１４（ｃ）は、ウォームホイール１３３の他側面を示す模式図である。
【０１１７】
図１４（ａ）において、ウォームホイール１３３は、その回転中心に軸保持孔３３ｃを有し、回転中心から偏心して偏心輪１３５が設けられている。ここで、偏心輪１３５には、グリス収納部３３ａおよびスリット３３ｂが設けられている。
【０１１８】
ポンプ１３の稼動時において、グリス収納部３３ａ内にグリスが収納されている場合、グリス収納部３３ａに収納されているグリスは、ウォームホイール１３３の回転とともに遠心力によりスリット３３ｂから外部へ漏脱する。そして、漏脱したグリスは、偏心輪１３５のピストンロッド１３６との摺動部３４ａに浸透する。これにより、偏心輪１３５とピストンロッド１３６との間に生じる摩擦係数が減少する。
【０１１９】
さらに、ポンプ１３の稼動時において、グリス収納部３３ａに収納されているグリスは、軸保持孔３３ｃに取り付けられる軸１３４に常に接触しているので、軸保持孔３３ｃの軸１３４との摺動部３４ｂに浸透する。これにより、軸保持孔３３ｃと軸１３４との間に生じる摩擦係数が減少する。
【０１２０】
図１４（ｂ）によれば、上述のグリス収納部３３ａは、偏心輪１３５内部に形成されている。一方、ウォームホイール１３３の他側面には、グリス収納部３３ｄが形成されている。ポンプ１３の稼動時において、グリス収納部３３ｄ内部にグリスが収納されている場合、グリス収納部３３ｄに収納されているグリスは、ウォームホイール１３３のケース５０ａとの摺動部３４ｃに浸透する。これにより、ウォームホイール１３３とケース５０ａとの間に生じる摩擦係数が減少する。
【０１２１】
図１４（ｃ）によれば、ウォームホイール１３３の他側面において、上述のグリス収納部３３ｄは、ウォームホイール１３３の回転中心から同心円状に形成されている。
【０１２２】
図１５は図９のウォーム１３２の形状を示す模式図である。ここで図１５（ａ）はウォーム１３２の一側面を示す模式図であり、図１５（ｂ）は図１５（ａ）に示すウォーム１３２を矢印Ｖの方向より見た場合の模式図である。
【０１２３】
図１５（ａ）および図１５（ｂ）によれば、ウォーム１３２は、３本の歯３２ａ，３２ｂ，３２ｃを有している。そして、３本の歯３２ａ，３２ｂ，３２ｃは、それぞれらせん状に形成されている。これにより、ウォーム１３２が回転することによりウォームホイール１３３に与えられる動力伝達効率が向上する。
【０１２４】
なお、図９に示す通りウォーム１３２の一端は図９に示すモータ１３０の軸１３１に保持され、ウォーム１３２の他端に設けられた回転保持部３２Ｈは、ポンプ１３のケース５０ａの一部に回転可能に取り付けられる。
【０１２５】
図１６は図９のウォーム１３２の動作に伴うピストンロッド１３６の動作を示す動作説明図である。以下の説明において、図１６に示すように偏心輪１３５内の軸１３４と対向する点を点Ｐａとする。
【０１２６】
図１６（ａ）において、ウォーム１３２はモータ１３０の駆動により矢印Ｒ１の方向に回転を開始する。そして、ウォーム１３２の回転に応じてウォームホイール１３３は矢印Ｒ２の方向に回転を開始する。さらに、偏心輪１３５内の点Ｐａは矢印Ｒ３の方向に回転を開始する。なお、矢印Ｒ３はウォームホイール１３３の回転中心から点Ｐａまでの距離を半径とした円上に存在する。
【０１２７】
図１６（ｂ）において、ウォーム１３２がモータ１３０の駆動により矢印Ｒ１の方向に回転し、ウォームホイール１３３を矢印Ｒ２の方向に９０度回転させた場合、偏心輪１３５内の点Ｐａは矢印Ｒ３の方向に９０度回転する。この回転動作が継続されることにより、偏心輪１３５内の点Ｐａは軸１３４を中心に３６０度回転する。これにより、偏心輪１３５に取り付けられたピストンロッド１３６のピストン連結部１５９は矢印Ｚの方向に上下運動する。
【０１２８】
以下に、図１７に基づきポンプ１３の動作を説明する。図１７は、ポンプ１３の動作を示す模式的断面図である。以下の説明において、図１７に示すように円柱状空間１３９内部のピストン１３７の移動可能な上端を上死点Ｋ１とし、下端を下死点Ｋ２とする。
【０１２９】
図１７（ａ１）は稼動開始時におけるポンプ１３の内部状態を示し、図１７（ａ２）は図１７（ａ１）に示すポンプ１３のＢ−Ｂ線断面を示す。
【０１３０】
図１７（ａ１）において、ポンプ１３はモータ１３０の動作に応じて稼動を開始する。ウォーム１３２は矢印Ｒ１の方向に回転を開始し、ウォームホイール１３３は矢印Ｒ２の方向に回転を開始する。ここで、ポンプ１３の稼動開始時において、偏心輪１３５内の点Ｐａは軸１３４の上方に位置し、ピストン１３７は円柱状空間１３９内の上死点Ｋ１に位置する。図１７（ａ２）に示す通り、ポンプ１３の稼動開始時にポンプ室１３９ａ内部に流体の流れは存在しない。
【０１３１】
図１７（ｂ１）はポンプ１３の稼動によりピストン１３７が円柱状空間１３９内を下降する場合のポンプ１３の内部状態を示し、図１７（ｂ２）は図１７（ｂ１）に示すポンプ１３のＢ−Ｂ線断面を示す。
【０１３２】
図１７（ｂ１）において、ポンプ１３はモータ１３０の動作に応じて洗浄水の吸引動作を行う。この場合、モータ１３０の動作に応じて偏心輪１３５内の点Ｐａは軸１３４の左側に移動し、円柱状空間１３９の内部でピストン１３７は上死点Ｋ１より下降する。
【０１３３】
円柱状空間１３９内でのピストン１３７の下降に伴い、ポンプ室１３９ａの容積は増大し、ポンプ室１３９ａ内の圧力が低下する。図１７（ｂ２）によれば、ポンプ室１３９ａ内の圧力の低下に伴い、弁シート５２の洗浄水吸引系側の可動リップ部５２ａがケース５０ｂ側に曲折している。これにより、供給用洗浄水Ｗ１が吸引ポート５５ｂより洗浄水吸引系を介してポンプ室１３９ａ内部に導入される。
【０１３４】
図１７（ｃ１）はポンプ１３の稼動によりピストン１３７が円柱状空間１３９内の下死点Ｋ２に位置した場合のポンプ１３の内部状態を示し、図１７（ｃ２）は図１７（ｃ１）に示すポンプ１３のＢ−Ｂ線断面を示す。
【０１３５】
図１７（ｃ１）において、ポンプ１３はモータ１３０の動作に応じて洗浄水の吸引動作を停止する。この場合、モータ１３０の動作に応じて偏心輪１３５内の点Ｐａは軸１３４の下側に移動し、円柱状空間１３９の内部でピストン１３７は下死点Ｋ２に移動する。この状態で、ピストン１３７は下降動作を停止し、図１７（ｃ２）に示す通り、ポンプ室１３９ａ内部に流体の流れは存在しない。
【０１３６】
図１７（ｄ１）はポンプ１３の稼動によりピストン１３７が円柱状空間１３９内を上降する場合のポンプ１３の内部状態を示し、図１７（ｄ２）は図１７（ｄ１）に示すポンプ１３のＢ−Ｂ線断面を示す。
【０１３７】
図１７（ｄ１）において、ポンプ１３はモータ１３０の動作に応じて洗浄水の吐出動作を行う。この場合、モータ１３０の動作に応じて偏心輪１３５内の点Ｐａは軸１３４の右側に移動し、円柱状空間１３９の内部でピストン１３７は下死点Ｋ２より上昇する。
【０１３８】
円柱状空間１３９内でのピストン１３７の上昇に伴い、ポンプ室１３９ａの容積は減少し、ポンプ室１３９ａ内の圧力が上昇する。図１７（ｄ２）によれば、ポンプ室１３９ａ内の圧力の上昇に伴い、弁シート５２の洗浄水吐出系側の可動リップ部５２ａがケース５０ａ側に曲折している。これにより、ポンプ室１３９ａ内部の吐出用洗浄水Ｗ２が、洗浄水吐出系より吐出ポート５５ａを介してポンプ１３の外部へ吐出される。
【０１３９】
図１８は図９のポンプ１３のポンプ室１３９ａの圧力変化を示す図である。図１８の縦軸は圧力を示し、横軸は時間を示す。
【０１４０】
図１８に示すように、ポンプ１３の吸引ポート５５ｂに圧力Ｐｘの洗浄水が供給される。この場合、図９のピストン１３７が上下方向に運動することにより、ポンプ室１３９ａ内の洗浄水の圧力が変化する。それにより、ポンプ１３の吐出ポート５５ａより吐出される洗浄水の圧力Ｐｏｕｔは、太い実線で示すように、圧力Ｐｋを中心として上下に周期的に変化する。
【０１４１】
このように、ポンプ１３においては、ピストン１３７が上下運動を行うことにより、ポンプ室１３９ａ内の洗浄水に対して圧力が加えられ、吸引ポート５５ｂより導入された供給用洗浄水が昇圧されて吐出ポート５５ａから吐出用洗浄水として吐出される。
【０１４２】
図９〜図１８のポンプ１３によれば、小型で高圧を発生することができる。したがって、ポンプ１３を用いることにより噴出ユニット１９０の小型化およびコンパクト化を図ることができる。
【０１４３】
次に、図１９（ａ）は切替弁１４の縦断面図であり、図１９（ｂ）は図１９（ａ）の切替弁１４のＡ−Ａ線断面図であり、図１９（ｃ）は図１９（ａ）の切替弁１４のＢ−Ｂ線断面図であり、図１９（ｄ）は図１９（ａ）の切替弁１４のＣ−Ｃ線断面図である。
【０１４４】
図１９に示す切替弁１４は、モータ１４１、内筒１４２および外筒１４３により構成される。
【０１４５】
外筒１４３内に内筒１４２が挿入され、モータ１４１の回転軸が内筒１４２に取り付けられている。モータ１４１は、制御部４により与えられる制御信号に基づいて回転動作を行う。モータ１４１が回転することにより内筒１４２が回転する。
【０１４６】
図１９（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図１９（ｂ），（ｃ）に示すように、曲線および直線で構成される面取り部が形成され、孔１４２ｇの周辺には、図１９（ｄ）に示すように、直線で構成される面取り部が形成されている。
【０１４７】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【０１４８】
洗浄水入口１４３ａには、図３の配管２０３が接続され、洗浄水出口１４３ｂには、ビデノズル２が接続され、洗浄水出口１４３ｄには、おしりノズル１の第１の流路が接続され、洗浄水出口１４３ｃには、おしりノズルの第２の流路が接続され、洗浄水出口１４３ｅには、ノズル洗浄用ノズル３が接続されている。
【０１４９】
図２０は図１９の切替弁１４の動作を示す断面図である。
図２０（ａ）〜（ｆ）は切替弁１４のモータ１４１がそれぞれ０度、９０度、１３５度、１８０度、２２５度および２７０度回転した状態を示す。
【０１５０】
まず、図２０（ａ）に示すように、モータ１４１を回転させない（０度）場合には、内筒１４２の孔１４２ｅの周囲の面取り部が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【０１５１】
次に、図２０（ｂ）に示すように、モータ１４１が内筒１４２を９０度回転させた場合には、内筒１４２の孔１４２ｇの周囲の面取り部が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【０１５２】
次いで、図２０（ｃ）に示すように、モータ１４１が内筒１４２を１３５度回転させた場合には、内筒１４２の孔１４２ｇの周囲の面取り部の一部が外筒１４３の洗浄水出口１４３ｅに対向するとともに、内筒１４２の孔１４２ｅの周囲の面取り部の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【０１５３】
次に、図２０（ｄ）に示すように、モータ１４１が内筒１４２を１８０度回転させた場合には、内筒１４２の孔１４２ｅの周囲の面取り部が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【０１５４】
次に、図２０（ｅ）に示すように、モータ１４１が内筒１４２を２２５度回転させた場合には、内筒１４２の孔１４２ｅの周囲の面取り部の一部が外筒１４３の洗浄水出口１４３ｃに対向するとともに、内筒１４２の孔１４２ｆの周囲の面取り部の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【０１５５】
また、図２０（ｆ）に示すように、モータ１４１が内筒１４２を２７０度回転させた場合には、内筒１４２の孔１４２ｆの周囲の面取り部が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【０１５６】
以上のように、制御部４からの制御信号に基づいてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【０１５７】
図２１は図２０の切替弁１４の洗浄水出口１４３ｃ，１４３ｄからおしりノズル１に流出する洗浄水の流量、洗浄水出口１４３ｂからビデノズル２に流出する洗浄水の流量および洗浄水出口１４３ｅからノズル洗浄ノズル３に流出する洗浄水の流量を示す図である。図２１の横軸はモータ１４１の回転角度を示し、縦軸は洗浄水出口１４３ｂ〜１４３ｅから流出する洗浄水の流量を示す。また、実線Ｑ１が洗浄水出口１４３ｃからおしりノズル１に流出する洗浄水の流量の変化を示し、一点鎖線Ｑ２が洗浄水出口１４３ｄからおしりノズル１に流出する洗浄水の流量の変化を示し、二点鎖線Ｑ３が洗浄水出口１４３ｂからビデノズル２に流出する洗浄水の流量の変化を示し、破線Ｑ４が洗浄水出口１４３ｅからノズル洗浄ノズル３に流出する洗浄水の流量の変化を示す。
【０１５８】
例えば、図２１に示すように、モータ１４１が回転しない場合（０度）、洗浄水出口１４３ｂからビデノズル２に流出する洗浄水の流量Ｑ３は最大値を示す。そして、モータ１４１の回転角度が大きくなるとともに洗浄水出口１４３ｂからビデノズル２に流出する洗浄水の流量Ｑ３が減少し、洗浄水出口１４３ｅからノズル洗浄ノズル３に流出する洗浄水の流量Ｑ４が増加する。
【０１５９】
次いで、モータ１４１が９０度回転した場合、洗浄水出口１４３ｅからノズル洗浄ノズル３に流出する洗浄水の流量Ｑ４は最大値を示す。そして、モータ１４１の回転角度がさらに大きくなるとともに洗浄水出口１４３ｅからノズル洗浄ノズル３に流出する洗浄水の流量Ｑ４が減少し、洗浄水出口１４３ｃからおしりノズル１に流出する洗浄水の流量Ｑ１が増加する。
【０１６０】
続いて、モータ１４１が１８０度回転した場合、洗浄水出口１４３ｄからおしりノズル１に流出する洗浄水の流量Ｑ１は最大値を示す。そして、モータ１４１の回転角度がさらに大きくなるとともに洗浄水出口１４３ｄからおしりノズル１に流出する洗浄水の流量Ｑ１が減少し、洗浄水出口１４３ｃからおしりノズル１に流出する洗浄水の流量Ｑ２が増加する。
【０１６１】
続いて、モータ１４１が２７０度回転した場合、洗浄水出口１４３ｃからおしりノズル１に流出する洗浄水の流量Ｑ２は最大値を示す。そして、モータ１４１の回転角度がさらに大きくなるとともに洗浄水出口１４３ｃからおしりノズル１に流出する洗浄水の流量Ｑ２が減少し、洗浄水出口１４３ｂからビデノズル２に流出する洗浄水の流量Ｑ３が増加する。
【０１６２】
以上のように、制御部４が切替弁１４のモータ１４１の回転角度を制御することにより洗浄水出口１４３ｂ〜１４３ｅから流出する洗浄水の流量を制御することができる。さらに、切替弁１４のモータ１４１の回転角度がいかなる場合でも、洗浄水出口１４２ｅ，１４２ｆ，１４２ｇのいずれかまたはそれらの周囲の面取り部（凹部）が洗浄水出口１４３ｂ〜１４３ｅのいずれかに対向するので、洗浄水の流路が閉塞されず、洗浄水入口１４３ａから供給された洗浄水は、洗浄水出口１４３ｂ〜１４３ｅのいずれかから流出される。
【０１６３】
図１９〜図２１の切替弁１４によれば、小型で容易に各洗浄水出口からの洗浄水の流量を調整することができる。したがって、切替弁１４を用いることにより噴出ユニット１９０の小型化およびコンパクト化を図ることができる。
【０１６４】
次に、図３のノズル部３０について説明する。図２２は図３のノズル部３０および切替弁１４の模式的断面図である。
【０１６５】
図２２に示すように、切替弁１４の洗浄水出口１４３ｃ，１４３ｄは、おしりノズル１に接続され、切替弁１４の洗浄水出口１４３ｂはビデノズル２に接続され、切替弁１４の洗浄水出口１４３ｅはノズル洗浄ノズル３に接続される。
【０１６６】
まず、おしりノズル１の構成について説明し、次いで、ビデノズル２の構成について説明し、最後にノズル洗浄ノズル３の構成について説明する。
【０１６７】
おしりノズル１は、円筒状のピストン部２０、円筒状のシリンダ部２１、シールパッキン２２ａ，２２ｂおよびスプリング２３により構成される。
【０１６８】
ピストン部２０の先端近傍には、洗浄水を噴出するための噴出孔２５が形成されている。ピストン部２０の後端には、フランジ形状のストッパ部２６ａ，２６ｂが設けられている。また、ストッパ部２６ａ，２６ｂには、それぞれシールパッキン２２ａ，２２ｂが装着されている。ピストン部２０の内部には、後端面から噴出孔２５に連通する第１の流路２７ａが形成され、ストッパ部２６ａとストッパ部２６ｂとの間におけるピストン部２０の周面から噴出孔２５に連通する第２の流路２７ｂが形成されている。また、噴出孔２５の周囲には、円筒状渦室２９が形成されており、第１の流路２７ａと円筒状渦室２９との間には、縮流部３１が介挿されている。
【０１６９】
一方、シリンダ部２１は、先端側の径小部分と中間の径を有する中間部分と後端側の径大部分とからなる。それにより、径小部分と中間部分との間に、ピストン部２０のストッパ部２６ａがシールパッキン２２ａを介して当接可能なストッパ面２１ｃが形成され、中間部分と径大部分との間に、ピストン部２０のストッパ部２６ｂがシールパッキン２２ｂを介して当接可能なストッパ面２１ｂが形成されている。シリンダ部２１の後端面には、洗浄水入口２４ａが設けられ、シリンダ部２１の中間部分の周面には、洗浄水入口２４ｂが設けられ、シリンダ部２１の先端面には、開口部２１ａが設けられている。シリンダ部２１の内部空間が温度変動緩衝部２８となる。洗浄水入口２４ａは、シリンダ部２１の中心軸とは異なる位置に偏心して設けられている。洗浄水入口２４ａは、切替弁１４の洗浄水出口１４３ｄに接続され、洗浄水入口２４ｂは、切替弁１４の洗浄水出口１４３ｃに接続されている。ピストン部２０がシリンダ部２１より最も突出した場合に、洗浄水入口２４ｂは、第２の流路２７ｂと連通する。この洗浄水入口２４ｂが第２の流路２７ｂと接続する詳細については後述する。
【０１７０】
ピストン部２０は、ストッパ部２６ｂが温度変動緩衝部２８内に位置し、先端部が開口部２１ａから突出するように、シリンダ部２１内に移動可能に挿入されている。
【０１７１】
さらに、スプリング２３は、ピストン部２０のストッパ部２６ａとシリンダ部２１の開口部２１ａの周縁との間に配設されており、ピストン部２０をシリンダ部２１の後端側に付勢する。
【０１７２】
ピストン部２０のストッパ部２６ａ，２６ｂの外周面とシリンダ部２１の内周面との間に微小隙間が形成され、ピストン部２０の下面の溝２０Ｇとシリンダ部２１の開口部２１ａの内周面との間に微小隙間が形成されている。
【０１７３】
次に、ビデノズル２は、円筒状のピストン部２０ｅ、円筒状のシリンダ部２１ｅ、シールパッキン２２ｅおよびスプリング２３ｅにより構成される。
【０１７４】
ピストン部２０ｅの先端近傍には、洗浄水を噴出するための噴出孔２５ｅが形成されている。ピストン部２０ｅの後端には、フランジ形状のストッパ部２６ｅが設けられている。また、ストッパ部２６ｅには、シールパッキン２２ｅが装着されている。ピストン部２０ｅの内部には、後端面から噴出孔２５に連通する流路２７ｅが形成されている。また、噴出孔２５ｅの周囲には、円筒状渦室２９ｅが形成されている。
【０１７５】
一方、シリンダ部２１ｅは、先端側の径小部分と後端側の径大部分とからなる。それにより、径小部分と径大部分との間に、ピストン部２０ｅのストッパ部２６ｅがシールパッキン２２ｅを介して当接可能なストッパ面２１ｆが形成されている。シリンダ部２１ｅの後端面には、洗浄水入口２４ｅが設けられ、シリンダ部２１ｅの先端面には、開口部２１ｇが設けられている。シリンダ部２１ｅの内部空間が温度変動緩衝部２８ｅとなる。洗浄水入口２４ｅは、シリンダ部２１ｅの中心軸とは異なる位置に偏心して設けられている。洗浄水入口２４ｅは、切替弁１４の洗浄水出口１４３ｂに接続されている。
【０１７６】
ピストン部２０ｅは、ストッパ部２６ｅが温度変動緩衝部２８ｅ内に位置し、先端部が開口部２１ｇから突出するように、シリンダ部２１ｅ内に移動可能に挿入されている。
【０１７７】
さらに、スプリング２３ｅは、ピストン部２０ｅのストッパ部２６ｅとシリンダ部２１ｅの開口部２１ｇの周縁との間に配設されており、ピストン部２０ｅをシリンダ部２１ｅの後端側に付勢する。
【０１７８】
ピストン部２０ｅのストッパ部２６ｅの外周面とシリンダ部２１ｅの内周面との間に微小隙間が形成され、ピストン部２０ｅの外周面とシリンダ部２１ｅの開口部２１ｇの内周面との間に微小隙間が形成されている。
【０１７９】
次に、ノズル洗浄ノズル３は、扇状の噴出部２０ｋにより構成される。噴出部２０ｋの先端近傍には、おしりノズル１側に洗浄水を噴出するための噴出孔２５ｋとビデノズル２側に洗浄水を噴出するための噴出孔２５ｍとが形成される。噴出部２０ｋの後端には洗浄水入口２４ｋが設けられる。噴出部２０ｋの後端に設けられた洗浄水入口２４ｋから噴出孔２５ｋおよび噴出孔２５ｍに連通する流路２７ｋが形成される。洗浄水入口２４ｋは、切替弁１４の洗浄水出口１４３ｅに接続されている。
【０１８０】
図２３はノズル洗浄ノズル３の働きを説明するための模式図である。図２３（ａ）はおしりノズル１の断面を示し、図２３（ｂ）はおしりノズル１とノズル洗浄ノズル３との関係を示す。
【０１８１】
図２３（ａ）に示すように、おしりノズル１のピストン部２０には、ピストン部２０の上面に断面略矩形状の溝２０Ｆが長手方向に沿って形成され、ピストン部２０の下面に断面略三角形状の溝２０Ｇが長手方向に沿って形成されている。また、ピストン部２０の内部には、長手方向に沿って第１の流路２７ａおよび第２の流路２７ｂが形成されている。
【０１８２】
図２３（ｂ）に示すように、ノズル洗浄ノズル３においては、切替弁１４の洗浄水出口１４３ｅより供給された洗浄水が、噴出部２０ｋの洗浄水入口ｋから流路２７ｋを通して噴出孔２５ｋより噴出される。それにより、噴出孔２５ｋより噴出された洗浄水は、おしりノズル１の溝２０Ｆを流れておしりノズル１のピストン部２０を洗浄する。また、図２３ａに示す溝２０Ｇの働きについては後述する。
【０１８３】
なお、本実施の形態におけるおしりノズル１においては、溝２０Ｆおよび溝２０Ｇを設けることにより第１の流路２７ａおよび第２の流路２７ｂの周囲にほぼ一定となる肉厚を形成できるため、製造工程での成形時にひけ現象が生じることを防止することができる。
【０１８４】
次いで、図２２のおしりノズル１の動作について説明する。図２４は図２２のおしりノズル１の動作を説明するための断面図である。
【０１８５】
図２４（ａ）に示すように、シリンダ部２１の洗浄水入口２４ａ，２４ｂより洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１８６】
次いで、図２４（ｂ）に示すように、シリンダ部２１の洗浄水入口２４ａより洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１８７】
洗浄水入口２４ａがシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６ａ，２６ｂの外周面とシリンダ部２１の内周面との間の微小隙間を通して、ピストン部２０の下面の溝２０Ｇとシリンダ部２１の開口部２１ａの内周面との間の微小隙間から流れ出るとともに、ピストン部２０の第１の流路２７ａを通して円筒状渦室２９に供給され、噴出孔２５からわずかに噴出される。円筒状渦室２９の詳細については後述する。
【０１８８】
ピストン部２０がさらに前進すると、図２４（ｃ）に示すように、ストッパ部２６ａ，２６ｂがシールパッキン２２ａ，２２ｂを介してシリンダ部２１のストッパ面２１ｃ，２１ｂに水密に接触する。それにより、ピストン部２０のストッパ部２６ａ，２６ｂの外周面とシリンダ部２１の内周面との間の微小隙間からピストン部２０の下面の溝２０Ｇとシリンダ部２１の開口部２１ａの内周面との間の微小隙間に至る流路が遮断される。さらに、洗浄水入口２４ｂより供給された洗浄水が、ピストン部２０の第２の流路２７ｂを通して円筒状渦室２９に供給される。それにより、ピストン部２０の第２の流路２７ｂを通して円筒状渦室２９に供給された洗浄水は、ピストン部２０の第１の流路２７ａを通して供給された洗浄水と混合され、噴出孔２５から噴出される。
【０１８９】
このように、切替弁１４の洗浄水出口１４３ｃ，１４３ｄより供給された洗浄水が、シリンダ部２１の洗浄水入口２４ａ，２４ｂを介してピストン部２０内の第１の流路２７ａおよび第２の流路２７ｂを通して円筒状渦室２９に導かれ、円筒状渦室２９を通して噴出孔２５から噴出される。
【０１９０】
次いで、図２５（ａ）はピストン部２０の先端部の横断面図であり、図２５（ｂ）はピストン部２０の先端部の縦断面図である。
【０１９１】
まず、図２５（ｂ）に示すように、第１の流路２７ａは、円筒状の円筒状渦室２９の周面に接続され、第２の流路２７ｂは円筒状渦室２９の底面に接続されている。切替弁１４の洗浄水出口１４３ｃ，１４３ｄからの洗浄水が第１の流路２７ａおよび第２の流路２７ｂに供給される。
【０１９２】
図２５（ａ）に示すように、第１の流路２７ａより円筒状渦室２９に供給された洗浄水は、円筒状渦室２９の内周面の曲面形状により矢印Ｚに示す渦巻状態で流動する。一方、第２の流路２７ｂより円筒状渦室２９に供給された洗浄水は、垂直上方向に直線状態で流動する。
【０１９３】
このように、円筒状渦室２９において第１の流路２７ａの渦巻状態の洗浄水と第２の流路２７ｂの直線状の洗浄水とが混合され、噴出孔２５より洗浄水が噴出される。
【０１９４】
例えば、第１の流路２７ａより供給される洗浄水の流量が第２の流路２７ｂより供給される洗浄の流量よりも多い場合、円筒状渦室２９において混合される洗浄水は、円筒状の円筒状渦室２９の曲面形状による渦巻状態を強く維持するため、図２５（ｂ）に示す矢印Ｈの広い角度で分散旋回流として噴出される。一方、第２の流路２７ｂより供給される洗浄水の流量が第１の流路２７ａより供給される洗浄水の流量よりも多い場合、円筒状渦室２９において混合される洗浄水は、直線状態を強く維持するため、直線流として噴出される。
【０１９５】
したがって、制御部４が切替弁１４のモータ１４１を制御して洗浄水出口１４３ｃ，１４３ｄの流量比を変化させることにより、噴出孔２５より噴出される洗浄水の噴出形態が変化する。
【０１９６】
本実施の形態では、噴出形態調整スイッチ３０２ｅを押下すると、洗浄水出口１４３ｃの流量が洗浄水出口１４３ｄの流量よりも大きくなり、洗浄水の噴出形態が直線流に近づく。また、噴出形態調整スイッチ３０２ｆを押下すると、洗浄水出口１４３ｄの流量が洗浄水出口１４３ｃの流量よりも大きくなり、洗浄水の噴出形態が分散旋回流に近づく。なお、使用者がおしりスイッチ３０３を最初に押下すると、洗浄水出口１４３ｄの流量が洗浄水出口１４３ｃの流量よりも大きくなり柔らかな分散旋回流が人体に噴出される。
【０１９７】
次に、図２６は本実施の形態におけるおしりノズル１の噴出孔２５より噴出される洗浄水の説明図である。
【０１９８】
図２６に示すように、おしりノズル１の噴出孔２５からは、表面張力により直径ｄｎの幅を有した丸い粒状の洗浄水が噴出される。また、直径ｄｎを有する洗浄水は、ポンプ１３の圧力により流速ｖで被洗浄面ＳＨに向けて噴出される。
【０１９９】
この場合、丸い粒状の洗浄水は、おしりノズル１の噴出孔２５より距離Ｌｗにある被洗浄面ＳＨに到達するまでに、空気抵抗の働きにより水平方向に広がる。それにより、直径ｄｎの幅を有した丸い粒状の洗浄水は、直径ｄｎよりも大きい直径ｄｗの幅を有した偏平な粒状の洗浄水に変化する。その結果、人体は、噴出孔２５において少量の洗浄水が噴出されているのにもかかわらず、被洗浄面ＳＨにおいて直径ｄｗの幅の洗浄水を受けるため、多量の洗浄水が噴出されているような洗浄感を得ることができる。
【０２００】
次いで、図２７（ａ）は図２２のピストン部２０の先端部の第２の流路２７ｂの断面図であり、図２７（ｂ）は図２２のピストン部２０の先端部の第１の流路２７ａの断面図であり、図２７（ｃ）は図２７（ｂ）に示す縮流部３１の動作を示す拡大図である。
【０２０１】
まず、図２７（ａ）に示すように、ピストン部２０の第２の流路２７ｂを流れる洗浄水は、円筒状渦室２９の下部に供給される。
【０２０２】
一方、図２７（ｂ）に示すように、ピストン部２０の第１の流路２７ａを流れる洗浄水は、縮流部３１を通して円筒状渦室２９の側面に供給される。この場合、図２７（ｃ）に示すように、第１の流路２７ａ内を流れる洗浄水は、第１の流路２７ａよりも小さい内径を有する縮流部３１の内部を流れるため、第１の流路２７ａ内の圧力が上昇する。したがって、第１の流路２７ａの圧力が円筒状渦室２９および第２の流路２７ｂの圧力よりも高くなるため、円筒状渦室２９および第２の流路２７ｂの方向から第１の流路２７ａに洗浄水が流れない。
【０２０３】
ここで、シリンダ部２１の温度変動緩衝部２８に気泡が存在すると、噴出孔２５から噴出される洗浄水の圧力変動幅が低下する。本実施の形態のおしりノズル１では、縮流部３１の働きにより洗浄水の圧力変動幅の低下が防止される。以下、気泡の存在による洗浄水の圧力変動幅の低下および縮流部３１の働きについて説明する。
【０２０４】
図２８（ａ）は縮流部３１を有さない場合のおしりノズル１を示す模式図であり、図２８（ｂ）は縮流部３１を有するおしりノズル１の模式図である。図２９はおしりノズル１の噴出孔２５より噴出される洗浄水の圧力変動幅の低下を説明するための図である。
【０２０５】
なお、図２９に示す点線Ｐ１は縮流部３１を有さないおしりノズル１の噴出孔２５から噴出される洗浄水の圧力変化を示し、実線Ｐ２は縮流部３１を有するおしりノズル１の噴出孔２５より噴出される洗浄水の圧力変化を示す。
【０２０６】
まず、図２８（ａ），（ｂ）に示すように、熱交換器１１により加熱された洗浄水が、ポンプ１３および切替弁１４を介して第１の流路２７ａおよび第２の流路２７ｂに供給される。この場合、熱交換器１１により洗浄水が瞬間的に加熱され、洗浄水に含まれる溶存空気が気泡ＫＨとなり温度変動緩衝部２８内に蓄積される。あるいは、配管中の空気が気泡ＫＨとして、温度変動緩衝部２８内に蓄積される。この気泡ＫＨは、圧縮流体であり、圧力が加わると収縮する。
【０２０７】
したがって、図２８（ａ）に示す縮流部３１を有さないおしりノズル１の場合、第２の流路２７ｂより供給される洗浄水の圧力が、円筒状渦室２９を介して第１の流路２７ａ側に伝達される。その結果、第１の流路２７ａ側に伝達された圧力は、温度変動緩衝部２８内に伝達され、温度変動緩衝部２８内に蓄積された気泡ＫＨが収縮することにより緩衝される。
【０２０８】
したがって、図２９に示すように、ポンプ１３の働きにより第２の流路２７ｂ側に圧力Ｐｎ１と圧力Ｐｎ２との間の変動幅ｄＨ２を有する洗浄水が供給された場合、図２８（ａ）に示す縮流部３１を有さないおしりノズル１では、温度変動緩衝部２８内に蓄積された気泡ＫＨが収縮することにより、図２９の点線Ｐ１に示すように、圧力Ｐｎ１よりも低い圧力Ｐｎ３と圧力Ｐｎ２よりも高い圧力Ｐｎ４との間の変動幅ｄＨ１を有する洗浄水が噴出孔２５より噴出される。
【０２０９】
一方、図２８（ｂ）に示す縮流部３１を有するおしりノズル１では、第２の流路２７ｂより供給される洗浄水の圧力が、縮流部３１の働きにより円筒状渦室２９を介して第１の流路２７ａ側に伝達されない。すなわち、第２の流路の内圧が上昇した場合でも、第１の流路２７ａに設けられた縮流部３１の働きにより、第１の流路２７ａ側の圧力が第２の流路の内圧よりも高く維持される。そのため、第２の流路２７ｂ内の洗浄水が、温度変動緩衝部２８内に蓄積された気泡ＫＨによる影響を受けない。また、縮流部３１は、第１の流路２７ａおよび第２の流路２７ｂの圧力緩衝に伴う流体移動の抵抗要素となる。そのため、縮流部３１は、洗浄水の圧力の伝播速度を低下させ、第１の流路２７ａおよび第２の流路２７ｂにおける洗浄水の圧力緩衝を低減させることができる。
【０２１０】
したがって、図２９に示すように、ポンプ１３の働きにより第２の流路２７ｂ側に圧力Ｐｎ１と圧力Ｐｎ２との間の変動幅ｄＨ２を有する洗浄水が供給された場合、図２８（ｂ）に示す縮流部３１を有するおしりノズル１では、第２の流路２７ｂ内の洗浄水が、温度変動緩衝部２８内に蓄積された気泡ＫＨの影響を受けず、図２９の実線Ｐ２に示すように、圧力Ｐｎ１と圧力Ｐｎ２との間の変動幅ｄＨ２を有する洗浄水が噴出孔２５より噴出される。
【０２１１】
このように、本実施の形態におけるおしりノズル１では、おしりノズル１の温度変動緩衝部２８内に気泡ＫＨが存在する場合でも、縮流部３１の働きにより、第２の流路２７ｂより供給される洗浄水が、第１の流路２７ａ側の温度変動緩衝部２８内に蓄積された気泡ＫＨの影響を受けることなく、第２の流路２７ｂにより供給された洗浄水の圧力変動幅の低下が防止され、噴出孔２５から噴出される直線流の圧力変動幅の低下が生じない。その結果、人体に対する洗浄感の低下を防止することができる。なお、第１の流路２７ａより供給される洗浄水は、円筒状渦室２９の働きにより分散旋回流として噴出孔２５から噴出される。分散旋回流は柔らかな洗浄感を目的とするのものであるため、温度変動緩衝部２８内に蓄積された気泡ＫＨにより第１の流路２７ａからの洗浄水の圧力変動幅が低下しても分散旋回流の目的が損なわれることはない。
【０２１２】
図２２〜図２９のノズル部３０によれば、小型で容易に噴出形態を変化させることができる。したがって、ノズル部３０を用いることにより噴出ユニット１９０の小型化およびコンパクト化を図ることができる。
【０２１３】
本実施の形態においては、切替弁１４が流路切替弁に相当し、おしりノズル１、ビデノズル２およびノズル洗浄ノズル３がノズル装置に相当し、支持部材２０５が支持部材に相当し、進退動作用モータ２５０が位置調整用モータに相当し、外筒１４３が第１の部材に相当し、内筒１４２が第２の部材に相当し、モータ１４１が切替用モータに相当し、おしりノズル１が第１のノズル本体に相当し、噴出孔２５が第１の噴出孔に相当し、第１の流路２７ａが第１の流路に相当し、第２の流路２７ｂが第２の流路に相当し、円筒状渦室２９が回転力付与手段に相当し、ピストン部２０が第１のピストン部に相当し、シリンダ部２１が第１のシリンダ部に相当し、ビデノズル２が第２のノズル本体に相当し、噴出孔２５ｅが第２の噴出孔に相当し、流路２７ｅが第３の流路に相当し、シリンダ２１ｅが第２のシリンダ部に相当し、ピストン部２０ｅが第２のピストン部に相当し、溝２０Ｇおよび溝２０Ｆが溝部に相当し、ノズル洗浄ノズル３が第３のノズル本体に相当し、噴出孔２５ｋおよび噴出孔２５ｍが第３の噴出孔に相当し、流路２７ｋが第４の流路に相当し、ポンプ１３の第１の筐体６０Ａおよび第２の筐体６０Ｂがポンプケーシングに相当し、モータ１３０が駆動用モータに相当し、スポンジ１３０ａが弾性体に相当し、支持部材２０１が本体支持部に相当し、ケーシング２０２が本体ケーシングに相当する。
【０２１４】
（第２の実施の形態）
第２の実施の形態に係る衛生洗浄装置は、ポンプの構成および動作を除き第１の実施の形態に係る衛生洗浄装置と同様の構成および動作を有する。
【０２１５】
以下に、第２の実施の形態に係る衛生洗浄装置に用いられるポンプの構成および動作について図３０〜図３４に基づき説明する。
【０２１６】
図３０は第２の実施の形態に係るポンプ１３の構成を示す模式的断面図である。第２の実施の形態に係るポンプ１３は、ウォームホイール１３３からピストン１３７への動力の伝達がスライド枠３６１およびスロット枠３６２により行われていることを除き、第１の実施の形態に係るポンプ１３と同様の構造を有する。
【０２１７】
図３１は第２の実施の形態に係るポンプ１３のスライド枠３６１およびスロット枠３６２がウォームホイール１３３に取り付けられている様子を示す模式図である。図３２は図３０に示すポンプ１３のＡ−Ａ線断面図である。
【０２１８】
図３０〜図３２によれば、正方形状のスロット枠３６２には、偏心輪１３５と同様の形状を有する円形状の孔が設けられている。これにより、スロット枠３６２は偏心輪１３５と摺動可能に取り付けられている。
【０２１９】
また、スライド枠３６１には長方形状の孔が設けられており、スロット枠３６２はスライド枠３６１の長方形状の孔に取り付けられている。この場合、スロット枠３６２の上下の辺は、スライド枠３６１の長方形状の孔の上下の辺と接触しており、左右方向に摺動可能である。
【０２２０】
さらに、図３０および図３１に示すように、スライド枠３６１の両側面には、ケース５０ａと摺動可能に接触するガイド部３６３が設けられている。これにより、スライド枠３６１は偏心輪１３５の動作に応じて上下方向に動作する。そして、スライド枠３６１に取り付けられたピストンロッド３６０が、第２の筐体６０Ｂ内部に設けられたピストン１３７の上下運動を行う。
【０２２１】
図３３は図３０のウォーム１３２の動作に伴うピストン運動３６０、スライド枠３６１およびスロット枠３６２の動作を示す動作説明図である。以下の説明において、図３３に示すように偏心輪１３５内の軸１３４と対向する点を点Ｐａとする。
【０２２２】
図３３（ａ）において、ウォーム１３２はモータ１３０の駆動により矢印Ｒ１の方向に回転を開始する。そして、ウォーム１３２の回転に応じてウォームホイール１３３は矢印Ｒ２の方向に回転を開始する。さらに、偏心輪１３５内の点Ｐａは矢印Ｒ３の方向に回転を開始する。なお、矢印Ｒ３はウォームホイール１３３の回転中心から点Ｐａまでの距離を半径とした円上に存在する。
【０２２３】
図３３（ｂ）において、ウォーム１３２がモータ１３０により矢印Ｒ１の方向に回転し、ウォームホイール１３３を矢印Ｒ２の方向に９０度回転させた場合、偏心輪１３５内の点Ｐａは矢印Ｒ３の方向に９０度回転する。
【０２２４】
上記に示す回転動作が行われることにより、偏心輪１３５に取り付けられているスロット枠３６２はスライド枠３６１に設けられた長方形状の孔の内部を左方向に移動する。さらに、スライド枠３６１は、偏心輪１３５に取り付けられたスロット枠３６２を保持しているため、偏心輪１３５の回転に伴い下方向に移動する。
【０２２５】
その後、ウォーム１３２の回転に伴い、偏心輪１３５内のＰａは軸１３４を中心に３６０度回転する。これにより、偏心輪１３５に取り付けられたスロット枠３６２は矢印Ｘの方向に往復運動し、スロット枠３６２が取り付けられたスライド枠３６１は矢印Ｙの方向に上下運動する。以上に示す動作に伴いピストン１３７が上下運動を行い、ポンプ１３が稼動する。
【０２２６】
以下に、図３４に基づきポンプ１３の動作を説明する。図３４はポンプ１３の動作を示す模式的断面図である。以下の説明において、図３４に示すように円柱状空間１３９内部のピストン１３７の移動可能な上端を上死点Ｋ１とし、下端を下死点Ｋ２とする。
【０２２７】
図３４（ａ１）は稼動開始時におけるポンプ１３の内部状態を示し、図３４（ａ２）は図３４（ａ１）に示すポンプ１３のＢ−Ｂ線断面を示す。
【０２２８】
図３４（ａ１）において、ポンプ１３はモータ１３０の動作に応じて稼動を開始する。ウォーム１３２は矢印Ｒ１の方向に回転を開始し、ウォームホイール１３３は矢印Ｒ２の方向に回転を開始する。ここで、ポンプ１３の稼動開始時において、偏心輪１３５内の点Ｐａは軸１３４の上側に位置し、スロット枠３６２はスライド枠３６１に設けられた長方形状の孔の中心に位置する。そして、ピストンロッド３６０に設けられたピストン１３７は円柱状空間１３９内の上死点Ｋ１に位置する。図３４（ａ２）に示す通り、ポンプ１３の稼動開始時にポンプ室１３９ａ内部に流体の流れは存在しない。
【０２２９】
図３４（ｂ１）はポンプ１３の稼動によりピストン１３７が円柱状空間１３９内を下降する場合のポンプ１３の内部状態を示し、図３４（ｂ２）は図３４（ｂ１）に示すポンプ１３のＢ−Ｂ線断面を示す。
【０２３０】
図３４（ｂ１）において、ポンプ１３はモータ１３０の動作に応じて洗浄水の吸引動作を行う。この場合、モータ１３０の動作に応じて偏心輪１３５内の点Ｐａは軸１３４の左側に移動し、スロット枠３６２はスライド枠３６１に設けられた長方形状の孔の左側に移動する。そして、スライド枠３６１はスロット枠３６２の移動に伴って下降する。これにより、ピストンロッド３６０に設けられたピストン１３７は、円柱状空間１３９内部の上死点Ｋ１より下降する。
【０２３１】
円柱状空間１３９内でのピストン１３７の下降に伴い、ポンプ室１３９ａの容積は増大し、ポンプ室１３９ａ内の圧力が低下する。図３４（ｂ２）によれば、ポンプ室１３９ａ内の圧力の低下に伴い、弁シート５２の洗浄水吸引系側の可動リップ部５２ａがケース５０ｂ側に曲折している。これにより、供給用洗浄水Ｗ１が吸引ポート５５ｂより洗浄水吸引系を介してポンプ室１３９ａ内部に導入される。
【０２３２】
図３４（ｃ１）はポンプ１３の稼動によりピストン１３７が円柱状空間１３９内の下死点Ｋ２に位置した場合のポンプ１３の内部状態を示し、図３４（ｃ２）は図３４（ｃ１）に示すポンプ１３のＢ−Ｂ線断面を示す。
【０２３３】
図３４（ｃ１）において、ポンプ１３はモータ１３０の動作に応じて洗浄水の吸引動作を停止する。この場合、モータ１３０の動作に応じて偏心輪１３５内の点Ｐａは軸１３４の下側に移動し、スロット枠３６２はスライド枠３６１に設けられた長方形状の孔の中心に移動する。この状態で、スライド枠３６１は下降を停止する。このとき、ピストンロッド３６０に設けられたピストン１３７は、円柱状空間１３９内部の下死点Ｋ２に位置する。この状態で、ピストン１３７は下降動作を停止し、図３４（ｃ２）に示す通り、ポンプ室１３９ａ内部に流体の流れは存在しない。
【０２３４】
図３４（ｄ１）はポンプ１３の稼動によりピストン１３７が円柱状空間１３９内を上降する場合のポンプ１３の内部状態を示し、図３４（ｄ２）は図３４（ｄ１）に示すポンプ１３のＢ−Ｂ線断面を示す。
【０２３５】
図３４（ｄ１）において、ポンプ１３はモータ１３０の動作に応じて洗浄水の吐出動作を行う。この場合、モータ１３０の動作に応じて偏心輪１３５内の点Ｐａは軸１３４の右側に移動し、スロット枠３６２はスライド枠３６１に設けられた長方形状の孔の右側に移動する。そして、スライド枠３６１はスロット枠３６２の移動に伴って上昇する。これにより、ピストンロッド３６０に設けられたピストン１３７は、円柱状空間１３９の内部の下死点Ｋ２より上昇する。
【０２３６】
円柱状空間１３９内でのピストン１３７の上昇に伴い、ポンプ室１３９ａの容積は減少し、ポンプ室１３９ａ内の圧力が上昇する。図３４（ｄ２）によれば、ポンプ室１３９ａ内の圧力の上昇に伴い、弁シート５２の洗浄水吐出系側の可動リップ部５２ａがケース５０ａ側に曲折している。これにより、ポンプ室１３９ａ内部の吐出用洗浄水Ｗ２が、洗浄水吐出系より吐出ポート５５ａを介してポンプ１３の外部へ吐出される。
【０２３７】
以上に示すポンプ１３の稼動時におけるポンプ室１３９ａの圧力変化は、第１の実施の形態において図１８に示した圧力変化と同様である。
【０２３８】
本実施の形態に係る衛生洗浄装置においては、ポンプ１３内部におけるピストン１３７は、ピストンロッド３６０、スライド枠３６１およびスロット枠３６２により保持されている。これにより、ポンプ１３の稼動時にピストン１３７には上下方向にのみ駆動力が伝達され、上下運動の直進性が向上する。それにより、ピストン１３７の外周部に装着されるＸ字パッキン１３８に、水平方向の負荷が生じないため、ポンプ室１３９ａの密閉性が向上し、ポンプ１３の稼動効率が向上する。
【０２３９】
図３０〜図３４のポンプ１３によれば、小型で高圧を発生することができる。したがって、ポンプ１３を用いることにより噴出ユニット１９０の小型化およびコンパクト化を図ることができる。
【０２４０】
（第３の実施の形態）
第３の実施の形態に係る衛生洗浄装置は、ポンプの構成および動作を除き第１の実施の形態に係る衛生洗浄装置と同様の構成および動作を有する。
【０２４１】
以下に、第３の実施の形態に係る衛生洗浄装置に用いられるポンプの構成および動作について図３５〜図４１に基づき説明する。
【０２４２】
図３５は第３の実施の形態に係るポンプ１３の構成を示す模式的断面図である。第３の実施の形態に係るポンプ１３は、２つのポンプ室を有する複動型のピストンポンプである。なお、第３の実施の形態に係るポンプ１３においては、第２の実施の形態と同様、ウォームホイール１３３からピストン１３７への動力の伝達がスライド枠３６１およびスロット枠３６２により行われている。
【０２４３】
図３６は第３の実施の形態に係るポンプ１３のスライド枠３６１およびスロット枠３６２がウォームホイール１３３に取り付けられている様子を示す模式図である。図３７は図３５に示すポンプ１３のＡ−Ａ線断面図である。
【０２４４】
図３５〜図３７によれば、第３の実施の形態に係るポンプ１３のケース５０ａ，５０ｃにより形成される第１の筐体６０Ａ内部の構成は、第２の実施の形態に係るポンプ１３の第１の筐体６０Ａ内部の構成と同様である。以下に、第３の実施の形態に係るポンプ１３のケース５０ａ，５０ｂ，５０ｃにより形成される第２の筐体６０Ｂ内部の構成について説明する。
【０２４５】
第３の実施の形態に係るポンプ１３の第２の筐体６０Ｂは、ケース５０ａ、ケース５０ｂおよびポンプ室形成体５０ｅにより形成されている。ここで、第２の筐体６０Ｂ内部の円柱状空間１３９にはピストン１３７が設けられており、ピストン１３７により円柱状空間１３９がポンプ室１３９ａとポンプ室１３９ｂとに分割される。なお、ピストン１３７の外周部には、Ｘ字パッキン１３８が装着されている。
【０２４６】
図３５〜図３７によれば、ポンプ室１３９ａには洗浄水吐出口５１ａおよび洗浄水吸引口５１ｂが設けられ、ポンプ室１３９ｂには洗浄水吐出口５１ｃおよび洗浄水吸引口５１ｄが設けられている。
【０２４７】
洗浄水吐出口５１ａ，５１ｃおよび洗浄水吸引口５１ｂ，５１ｄは、第１および第２の実施の形態に係るポンプの構造と同様に、ケース５０ｂに設けられる洗浄水導水路および吐出ポート５５ｃにより、またはケース５０ｂに設けられる洗浄水導水路および吸引ポート５５ｄにより外部と連通している。吐出ポート５５ｃおよび吸引ポート５５ｄの先端は、第１および第２の実施の形態に係るポンプの構造と同様、ニップル形状を有する。
【０２４８】
図３７によれば、ケース５０ａとケース５０ｂとは、弁シート５２３を介して接続されている。以下、図３８に基づき、本実施の形態におけるケース５０ａとケース５０ｂとの接続状態および弁シート５２３の形状について説明する。図３８はケース５０ａ，５０ｂおよび弁シート５２３の模式的組み立て図である。
【０２４９】
図３８に示すように、ケース５０ａのケース５０ｂとの接続面には、溝状に形成された弁シート保持部５３ａ、洗浄水吐出口５６ａ，５６ｃおよび洗浄水吸引口５６ｂ，５６ｄが設けられている。また、ケース５０ｂのケース５０ａとの接続面には、突起状に形成された弁シート保持部５３ｂ、洗浄水吐出口５６ａ，５６ｃおよび洗浄水吸引口５６ｂ，５６ｄが設けられている。
【０２５０】
ケース５０ａにおいて、洗浄水吐出口５６ａ，５６ｃの周辺には空間５３ｋが設けられており、洗浄水吸引口５６ｂ，５６ｄの周辺には、弁座５３が設けられている。ケース５０ｂにおいては、洗浄水吐出口５６ａ，５６ｃの周辺に弁座５３が設けられ、洗浄水吸引口５６ｂ，５６ｄの周辺に空間５３ｋが設けられている。
【０２５１】
本実施の形態に係る弁シート５２３は、上述の第１および第２の実施の形態に係る弁シート５２と同様の形状を有する２つの弁シートがシート連結部５２ｃを介して連結されることにより形成されている。
【０２５２】
ケース５０ａとケース５０ｂとの接続は、第１の実施の形態と同様に次のように行われる。図３８に示すように、ケース５０ａのケース５０ｂとの接続面の一角を角ｐとし、角ｐの対角に位置する他の角を角ｑとし、ケース５０ｂのケース５０ａとの接続面の一角を角ｒとし、角ｒの対角に位置する他の角をｓとした場合、ケース５０ｂの角ｒはケース５０ａの角ｐに接続され、ケース５０ｂの角ｓはケース５０ａの角ｑに接続される。なお、ケース５０ａおよびケース５０ｂの弁シート保持部５３ａ，５３ｂの間には弁シート５２３が挿入される。
【０２５３】
上記に示すように、ケース５０ａ、ケース５０ｂおよび弁シート５２３が組み立てられることにより、弁シート５２３の可動リップ部５２ａは、各ポンプ室１３９ａ，１３９ｂ内部の圧力状態に伴い第１の実施の形態と同様の動作を行う。
【０２５４】
以下に、図３９および図４０に基づきポンプ１３の動作を説明する。図３９および図４０はポンプ１３の動作を示す模式的断面図である。以下の説明において、図３９に示すように円柱状空間１３９内部のピストン１３７の移動可能な上端を上死点Ｋ１とし、下端を下死点Ｋ２とする。
【０２５５】
図３９（ａ）は稼動開始時におけるポンプ１３の内部状態を示し、図４０（ａ）は図３９（ａ）に示すポンプ１３のＢ−Ｂ線断面を示し、図４０（ｅ）は図３９（ａ）に示すポンプ１３のＣ−Ｃ線断面を示す。
【０２５６】
図３９（ａ）において、ポンプ１３はモータ１３０の動作に応じて稼動を開始する。ウォーム１３２は矢印Ｒ１の方向に回転を開始し、ウォームホイール１３３は矢印Ｒ２の方向に回転を開始する。ここで、ポンプ１３の稼動開始時において、偏心輪１３５内の点Ｐａは軸１３４の上側に位置し、スロット枠３６２はスライド枠３６１に設けられた長方形状の孔の中心に位置する。そして、ピストンロッド３６０に設けられたピストン１３７は円柱状空間１３９内の上死点Ｋ１に位置する。図４０（ａ）および図４０（ｅ）に示す通り、ポンプ１３の稼動開始時にポンプ室１３９ａおよびポンプ室１３９ｂ内部に流体の流れは存在しない。
【０２５７】
図３９（ｂ）はポンプ１３の稼動によりピストン１３７が円柱状空間１３９内を下降する場合のポンプ１３の内部状態を示し、図４０（ｂ）は図３９（ｂ）に示すポンプ１３のＢ−Ｂ線断面を示し、図４０（ｆ）は図３９（ｂ）に示すポンプ１３のＣ−Ｃ線断面を示す。
【０２５８】
図３９（ｂ）において、ポンプ１３はモータ１３０の動作に応じて洗浄水の吸引動作および吐出動作を行う。この場合、モータ１３０の動作に応じて偏心輪１３５内の点Ｐａは軸１３４の左側に移動し、スロット枠３６２はスライド枠３６１に設けられた長方形状の孔の左側に移動する。そして、スライド枠３６１はスロット枠３６２の移動に伴って下降する。これにより、ピストンロッド３６０に設けられたピストン１３７は、円柱状空間１３９内部の上死点Ｋ１より下降する。
【０２５９】
円柱状空間１３９内でのピストン１３７の下降に伴い、ポンプ室１３９ａの容積は増大し、ポンプ室１３９ｂの容積は減少する。そして、ポンプ室１３９ａ内の圧力が低下し、ポンプ室１３９ｂ内の圧力が上昇する。
【０２６０】
図４０（ｂ）によれば、ポンプ室１３９ａ内の圧力の低下に伴い、弁シート５２３の洗浄水吸引系側の可動リップ部５２ａがケース５０ｂ側に曲折している。これにより、供給用洗浄水Ｗ１が吸引ポート５５ｄより洗浄水吸引系を介してポンプ室１３９ａ内部に導入される。
【０２６１】
また、図４０（ｆ）によれば、ポンプ室１３９ｂ内の圧力の上昇に伴い、弁シート５２３の洗浄水吐出系側の可動リップ部５２ａがケース５０ａ側に曲折している。これにより、ポンプ室１３９ａ内部の吐出用洗浄水Ｗ２が、洗浄水吐出系より吐出ポート５５ｃを介してポンプ１３の外部へ吐出される。
【０２６２】
図３９（ｃ）はポンプ１３の稼動によりピストン１３７が円柱状空間１３９内の下死点Ｋ２に位置した場合のポンプ１３の内部状態を示し、図４０（ｃ）は図３９（ｃ）に示すポンプ１３のＢ−Ｂ線断面を示し、図４０（ｇ）は図３９（ｃ）に示すポンプ１３のＣ−Ｃ線断面を示す。
【０２６３】
図３９（ｃ）において、ポンプ１３はモータ１３０の動作に応じて洗浄水の吸引動作および吐出動作を停止する。この場合、モータ１３０の動作に応じて偏心輪１３５内の点Ｐａは軸１３４の下側に移動し、スロット枠３６２はスライド枠３６１に設けられた長方形状の孔の中心に移動する。この状態で、スライド枠３６１は下降を停止する。このとき、ピストンロッド３６０に設けられたピストン１３７は、円柱状空間１３９内部の下死点Ｋ２に位置する。この状態で、ピストン１３７は下降動作を停止し、図４０（ｃ）および図４０（ｇ）に示す通り、ポンプ室１３９ａ内部に流体の流れは存在しない。
【０２６４】
図３９（ｄ）はポンプ１３の稼動によりピストン１３７が円柱状空間１３９内を上降する場合のポンプ１３の内部状態を示し、図４０（ｄ）は図３９（ｄ）に示すポンプ１３のＢ−Ｂ線断面を示し、図４０（ｈ）は図３９（ｄ）に示すポンプ１３のＣ−Ｃ線断面を示す。
【０２６５】
図３９（ｄ）において、ポンプ１３はモータ１３０の動作に応じて洗浄水の吸引動作および吐出動作を行う。この場合、モータ１３０の動作に応じて偏心輪１３５内の点Ｐａは軸１３４の右側に移動し、スロット枠３６２はスライド枠３６１に設けられた長方形状の孔の右側に移動する。そして、スライド枠３６１はスロット枠３６２の移動に伴って上昇する。これにより、ピストンロッド３６０に設けられたピストン１３７は、円柱状空間１３９の内部の下死点Ｋ２より上昇する。
【０２６６】
円柱状空間１３９内でのピストン１３７の上昇に伴い、ポンプ室１３９ａの容積は減少し、ポンプ室１３９ｂの容積は増大する。そして、ポンプ室１３９ａ内の圧力が上昇し、ポンプ室１３９ｂ内の圧力が低下する。
【０２６７】
図４０（ｄ）によれば、ポンプ室１３９ａ内の圧力の上昇に伴い、弁シート５２３の洗浄水吐出系側の可動リップ部５２ａがケース５０ａ側に曲折している。これにより、吐出用洗浄水Ｗ２が、洗浄水吐出系より吐出ポート５５ｃを介してポンプ１３の外部へ吐出される。
【０２６８】
また、図４０（ｈ）によれば、ポンプ室１３９ａ内の圧力の低下に伴い、弁シート５２３の洗浄水吸引系側の可動リップ部５２ａがケース５０ｂ側に曲折している。これにより、供給用洗浄水Ｗ１が吸引ポート５５ｄより洗浄水吸引系を介してポンプ室１３９ｂ内部に導入される。
【０２６９】
図４１は図３５のポンプ１３の圧力変化を示す図である。図４１の縦軸は圧力を示し、横軸は時間を示す。
【０２７０】
図４１に示すように、ポンプ１３のポンプ室１３９ａに吸引ポート５５ｄおよび洗浄水吸引系を介して圧力Ｐｉの洗浄水が供給される。この場合、図３５のピストン１３７が上下方向に運動することにより、ポンプ室１３９ａ内の洗浄水の圧力ＰＰａは、点線のように変化する。一方、ポンプ室１３９ｂ内の洗浄水の圧力ＰＰｂは、破線のように変化する。ポンプ１３のポンプ室１３９ａ，１３９ｂより吐出ポート５５ｃおよび洗浄水吐出系を介して吐出される洗浄水の圧力Ｐｏｕｔは、太い実線で示すように、圧力ＰＰｃを中心として上下に周期的に変化する。
【０２７１】
このように、本実施の形態に係るポンプ１３においては、ピストン１３７が上下運動を行うことにより、ポンプ室１３９ａまたはポンプ室１３９ｂ内の洗浄水に対して交互に圧力が加えられ、吸引ポート５５ｄより導入される洗浄水が昇圧されて吐出ポート５５ｃから吐出される。
【０２７２】
上記の構造を有するポンプ１３では、ピストン１３７の一回の上下運動に伴い２つのポンプ室１３９ａ，１３９ｂより洗浄水が吐出されるため、単動式のピストンポンプと比較して、モータ１３０の動力を低減した場合においても多量の洗浄水が吐出できる。したがって、本実施の形態に係る衛生洗浄装置においては、ポンプ１３のモータ１３０の動力を低減することにより、ピストン１３７の上下運動により生じる振動および騒音が低減できる。
【０２７３】
本実施の形態に係る衛生洗浄装置においては、ポンプ１３内部におけるピストン１３７は、ピストンロッド３６０、スライド枠３６１およびスロット枠３６２により保持されている。これにより、ポンプ１３の稼動時にピストン１３７には上下方向にのみ駆動力が伝達され、上下運動の直進性が向上する。それにより、ピストン１３７の外周部に装着されるＸ字パッキン１３８には、水平方向の負荷が生じないため、ポンプ室１３９ａの密閉性が向上し、ポンプ１３の稼動効率が向上する。
【０２７４】
図３５〜図４１のポンプ１３によれば、小型で高圧を発生することができる。したがって、ポンプ１３を用いることにより噴出ユニット１９０の小型化およびコンパクト化を図ることができる。
【０２７５】
【発明の効果】
本発明によれば、ノズル装置、ポンプおよび流路切替弁が支持部材によりユニットとして一体化されているので、衛生洗浄装置の小型化およびコンパクト化が図られる。また、ノズル装置、ポンプおよび流路切替弁をユニットとして一体的に取り扱うことができるので、衛生洗浄装置の組み立て性の向上が図られるとともに検査工程が容易になる。
【図面の簡単な説明】
【図１】本実施の形態に係る衛生洗浄装置を便器に装着した状態を示す斜視図
【図２】図１の遠隔操作装置の一例を示す模式図
【図３】本実施の形態に係る衛生洗浄装置の本体部の構成を示す模式図
【図４】噴出ユニットを説明するための斜視図
【図５】噴出ユニットの組み立て図
【図６】噴出ユニットに進退動作用モータをさらに組み込んだ状態を示す側面図
【図７】噴出ユニットを本体部のケーシングに取り付ける状態を示す斜視図
【図８】支持部材を説明するための模式図
【図９】本実施の形態に係るポンプの構成を示す模式的断面図
【図１０】図９に示すポンプのＡ−Ａ線断面図
【図１１】図９に示すポンプのＢ−Ｂ線断面図
【図１２】弁シートの外観斜視図である。
【図１３】ケースおよび弁シートの模式的組み立て図
【図１４】図９のポンプのウォームホイールの構造を示す模式的構造図
【図１５】図９のウォームの形状を示す模式図
【図１６】図９のウォームの動作に伴うピストンロッドの動作を示す動作説明図
【図１７】ポンプの動作を示す模式的断面図
【図１８】図９のポンプのポンプ室の圧力変化を示す図
【図１９】（ａ）は切替弁の縦断面図であり、（ｂ）は（ａ）の切替弁のＡ−Ａ線断面図であり、（ｃ）は（ａ）の切替弁のＢ−Ｂ線断面図であり、（ｄ）は（ａ）の切替弁のＣ−Ｃ線断面図
【図２０】図１９の切替弁の動作を示す断面図
【図２１】図２０の切替弁の洗浄水出口からおしりノズルに流出する洗浄水の流量、洗浄水出口からビデノズルに流出する洗浄水の流量および洗浄水出口からノズル洗浄ノズルに流出する洗浄水の流量を示す図
【図２２】図３のノズル部および切替弁の模式的断面図
【図２３】ノズル洗浄ノズルの働きを説明するための模式図である
【図２４】図２２のおしりノズルの動作を説明するための断面図
【図２５】（ａ）はピストン部の先端部の横断面図であり、（ｂ）はピストン部の先端部の縦断面図
【図２６】本実施の形態におけるおしりノズルの噴出孔より噴出される洗浄水の説明図
【図２７】（ａ）は図２２のピストン部の先端部の第２の流路の断面図であり、（ｂ）は図２２のピストン部の先端部の第１の流路の断面図であり、（ｃ）は（ｂ）に示す縮流部の動作を示す拡大図
【図２８】（ａ）は縮流部を有さない場合のおしりノズルを示す模式図であり、（ｂ）は縮流部を有するおしりノズルの模式図
【図２９】おしりノズルの噴出孔より噴出される洗浄水の圧力変動幅の低下を説明するための図
【図３０】第２の実施の形態に係るポンプの構成を示す模式的断面図
【図３１】第２の実施の形態に係るポンプのスライド枠およびスロット枠がウォームホイールに取り付けられている様子を示す模式図
【図３２】図３０に示すポンプのＡ−Ａ線断面図
【図３３】図３０のウォームの動作に伴うピストン運動、スライド枠およびスロット枠の動作を示す動作説明図
【図３４】ポンプの動作を示す模式的断面図
【図３５】第３の実施の形態に係るポンプの構成を示す模式的断面図
【図３６】第３の実施の形態に係るポンプのスライド枠およびスロット枠がウォームホイールに取り付けられている様子を示す模式図
【図３７】図３５に示すポンプのＡ−Ａ線断面図
【図３８】ケースおよび弁シートの模式的組み立て図
【図３９】ポンプの動作を示す模式的断面図
【図４０】ポンプの動作を示す模式的断面図
【図４１】図３５のポンプの圧力変化を示す図
【符号の説明】
１　おしりノズル
２　ビデノズル
３　ノズル洗浄ノズル
１３　ポンプ
１４　切替弁
２０，２０ｅ　ピストン部
２０Ｇ，２０Ｆ　溝
２１，２１ｅ　シリンダ部
２５，２５ｅ，２５ｋ，２５ｍ　噴出孔
２７ａ　第１の流路
２７ｂ　第２の流路
２７ｅ　流路
２７ｋ　流路
２９　円筒状渦室
５０ａ，５０ｂ，５０ｃ　ケース
１３０，１４１　モータ
１３０ａ　スポンジ
１４２　内筒
１４３　外筒
２０５　支持部材
２０２　底面部
２０３　斜面部
２０４　背面部
２５０　進退動作用モータ
【図１】
2004100255.tif 000003
【図２】
2004100255.tif 000004
【図３】
2004100255.tif 000005
【図４】
2004100255.tif 000006
【図５】
2004100255.tif 000007
【図６】
2004100255.tif 000008
【図７】
2004100255.tif 000009
【図８】
2004100255.tif 000010
【図９】
2004100255.tif 000011
【図１０】
2004100255.tif 000012
【図１１】
2004100255.tif 000013
【図１２】
2004100255.tif 000014
【図１３】
2004100255.tif 000015
【図１４】
2004100255.tif 000016
【図１５】
2004100255.tif 000017
【図１６】
2004100255.tif 000018
【図１７】
2004100255.tif 000019
【図１８】
2004100255.tif 000020
【図１９】
2004100255.tif 000021
【図２０】
2004100255.tif 000022
【図２１】
2004100255.tif 000023
【図２２】
2004100255.tif 000024
【図２３】
2004100255.tif 000025
【図２４】
2004100255.tif 000026
【図２５】
2004100255.tif 000027
【図２６】
2004100255.tif 000028
【図２７】
2004100255.tif 000029
【図２８】
2004100255.tif 000030
【図２９】
2004100255.tif 000031
【図３０】
2004100255.tif 000032
【図３１】
2004100255.tif 000033
【図３２】
2004100255.tif 000034
【図３３】
2004100255.tif 000035
【図３４】
2004100255.tif 000036
【図３５】
2004100255.tif 000037
【図３６】
2004100255.tif 000038
【図３７】
2004100255.tif 000039
【図３８】
2004100255.tif 000040
【図３９】
2004100255.tif 000041
【図４０】
2004100255.tif 000042
【図４１】
2004100255.tif 000043